(57)【特許請求の範囲】
【請求項１】
磁性担体粒子を担体として用いる、検体中の測定対象成分の免疫学的測定方法における磁性担体粒子の洗浄方法であって、以下の工程を順次行うことを特徴とする、磁性担体粒子の洗浄方法。
工程（１）：反応容器に、検体と、検体中の測定対象成分に結合する第１抗体を含む試薬と、磁性担体粒子を含む試薬を添加するか、または検体中の測定対象成分に結合する第１抗体が担持された磁性担体粒子を含む試薬を添加し、
反応容器中で抗原抗体反応を行い、前記第１抗体と前記測定対象成分とからなる第１の免疫複合体を担持する磁性担体粒子を含有する反応液を得る工程。
工程（２）：得られた反応液、又は、得られた反応液に洗浄液を添加して得られる懸濁液を収容する反応容器の側面に磁石を相対的に近接させ、前記第１の免疫複合体が担持された磁性担体粒子を反応容器の内面に集磁し、磁石により集磁された前記第１の免疫複合体が担持された磁性担体粒子とそれ以外の物質とを分離する工程。
工程（３）：分離された前記第１の免疫複合体が担持された磁性担体粒子以外の物質が含まれた溶液を除去する工程。
工程（４）：反応容器に洗浄液を添加して反応容器の側面から磁石を離脱させるか、反応容器の側面から磁石を離脱させて反応容器に洗浄液を添加するか、または反応容器に洗浄液を添加しながら反応容器の側面から磁石を離脱させる工程。
工程（５）：反応容器の側面に、直ぐ前に磁性担体粒子を集磁させたときの磁石よりも高さが低い磁石を相対的に近接させ、前記第１の免疫複合体が担持された磁性担体粒子を反応容器の内面に集磁した後、反応容器から洗浄液を除去する工程。
【請求項２】
工程（５）の後に、さらに、以下の工程を行うことを特徴とする、請求項１に記載の磁性担体粒子の洗浄方法。
工程（６）：工程（４）及び（５）を、１回または複数回順次繰り返す工程。
【請求項３】
磁性担体粒子を担体として用いる、検体中の測定対象成分の免疫学的測定方法における磁性担体粒子の洗浄方法であって、以下の工程を順次行うことを特徴とする、磁性担体粒子の洗浄方法。
工程（１）：反応容器に、検体と、検体中の測定対象成分に結合する第１抗体を含む試
薬と、磁性担体粒子を含む試薬を添加するか、または検体と、検体中の測定対象成分に結合する第１抗体が担持された磁性担体粒子を含む試薬を添加し、
反応容器中で抗原抗体反応を行い、前記第１抗体と前記測定対象成分とからなる第１の免疫複合体を担持する磁性担体粒子を含有する反応液を得る工程。
工程（２）：得られた反応液、又は、得られた反応液に洗浄液を添加して得られる懸濁液を収容する反応容器の側面に磁石を相対的に近接させ、前記第１の免疫複合体が担持された磁性担体粒子を反応容器の内面に集磁し、磁石により集磁された前記第１の免疫複合体が担持された磁性担体粒子とそれ以外の物質とを分離する工程。
工程（３）：分離された前記第１の免疫複合体が担持された磁性担体粒子以外の物質が含まれた溶液を除去する工程。
工程（４）：反応容器に洗浄液を添加して反応容器の側面から磁石を離脱させるか、反応容器の側面から磁石を離脱させて反応容器に洗浄液を添加するか、または反応容器に洗浄液を添加しながら反応容器の側面から磁石を離脱させる工程。
工程（５）：反応容器の側面に、直ぐ前に磁性担体粒子を集磁させたときの磁石と、高さが同じか又は低い磁石を相対的に近接させ、前記第１の免疫複合体が担持された磁性担体粒子を反応容器の内面に集磁した後、反応容器から洗浄液を除去する工程。
工程（６）：工程（４）及び（５）を、１回または複数回順次繰り返す工程であって、最後の洗浄工程における磁石の高さが、工程（２）における磁石の高さよりも低い工程。
【請求項４】
最後の洗浄工程における磁石の高さが、前記測定対象成分に結合する第２抗体を含む試薬を、工程（６）の後の反応容器に添加して撹拌したときの液面の上端と同じ高さに設定されている、請求項２または請求項３に記載の磁性担体粒子の洗浄方法。
【請求項５】
工程（２）における磁石の高さが、工程（１）の反応液、又は、工程（１）の反応液に洗浄液を添加して得られる懸濁液の液面の高さと同じである、請求項１〜請求項４の何れか１項に記載の磁性担体粒子の洗浄方法。
【請求項６】
磁石が、磁性担体粒子の集磁毎に、反応容器を挟んで向かい合った位置に交互に配置される、請求項１〜請求項５の何れか１項に記載の磁性担体粒子の洗浄方法。
【請求項７】
磁性担体粒子を担体として用いる、検体中の測定対象成分の免疫学的測定方法における磁性担体粒子の洗浄方法であって、以下の工程を順次行うことを特徴とする、磁性担体粒子の洗浄方法。
工程（１）：反応容器に、検体と、検体中の測定対象成分に結合する第１抗体を含む試薬と、磁性担体粒子を含む試薬を添加するか、または検体と、検体中の測定対象成分に結合する第１抗体が担持された磁性担体粒子を含む試薬を添加し、
反応容器中で抗原抗体反応を行い、前記第１抗体と前記測定対象成分とからなる第１の免疫複合体を担持する磁性担体粒子を含有する反応液を得る工程。
工程（２）：得られた反応液、又は、得られた反応液に洗浄液を添加して得られる懸濁液を収容する反応容器の側面に磁石を相対的に近接させ、前記第１の免疫複合体が担持された磁性担体粒子を反応容器の内面に集磁し、磁石により集磁された前記第１の免疫複合体が担持された磁性担体粒子とそれ以外の物質とを分離する工程。
工程（３）：分離された前記第１の免疫複合体が担持された磁性担体粒子以外の物質が含まれた溶液を除去する工程。
工程（４）：反応容器に、前記測定対象成分に結合する第２抗体を含む試薬を添加し、反応容器中で抗原抗体反応を行い、前記第１抗体、前記測定対象成分、及び、前記第２抗体からなる第２の免疫複合体を担持する磁性担体粒子を含有する反応液を得る工程。
工程（５）：得られた反応液、又は、得られた反応液に洗浄液を添加して得られる懸濁液を収容する反応容器の側面に磁石を相対的に近接させ、前記第２の免疫複合体が担持された磁性担体粒子を反応容器の内面に集磁し、磁石により集磁された前記第２の免疫複合
体が担持された磁性担体粒子とそれ以外の物質とを分離する工程。
工程（６）：分離された前記第２の免疫複合体が担持された磁性担体粒子以外の物質が含まれた溶液を除去する工程。
工程（７）：反応容器に洗浄液を添加して反応容器の側面から磁石を離脱させるか、反応容器の側面から磁石を離脱させて反応容器に洗浄液を添加するか、または反応容器に洗浄液を添加しながら反応容器の側面から磁石を離脱させる工程。
工程（８）：反応容器の側面に、直ぐ前に磁性担体粒子を集磁させたときの磁石よりも高さが低い磁石を相対的に近接させ、前記第２の免疫複合体が担持された磁性担体粒子を反応容器の内面に集磁した後、反応容器から洗浄液を除去する工程。
【請求項８】
工程（８）の後に、さらに、以下の工程を行うことを特徴とする、請求項７に記載の磁性担体粒子の洗浄方法。
工程（９）：工程（７）及び（８）を、１回または複数回順次繰り返す工程。
【請求項９】
磁性担体粒子を担体として用いる、検体中の測定対象成分の免疫学的測定方法における磁性担体粒子の洗浄方法であって、以下の工程を順次行うことを特徴とする、磁性担体粒子の洗浄方法。
工程（１）：反応容器に、検体と、検体中の測定対象成分に結合する第１抗体を含む試薬と、磁性担体粒子を含む試薬を添加するか、または検体と、検体中の測定対象成分に結合する第１抗体が担持された磁性担体粒子を含む試薬を添加し、
反応容器中で抗原抗体反応を行い、前記第１抗体と前記測定対象成分とからなる第１の免疫複合体を担持する磁性担体粒子を含有する反応液を得る工程。
工程（２）：得られた反応液、又は、得られた反応液に洗浄液を添加して得られる懸濁液を収容する反応容器の側面に磁石を相対的に近接させ、前記第１の免疫複合体が担持された磁性担体粒子を反応容器の内面に集磁し、磁石により集磁された前記第１の免疫複合体が担持された磁性担体粒子とそれ以外の物質とを分離する工程。
工程（３）：分離された前記第１の免疫複合体が担持された磁性担体粒子以外の物質が含まれた溶液を除去する工程。
工程（４）：反応容器に、前記測定対象成分に結合する第２抗体を含む試薬を添加し、反応容器中で抗原抗体反応を行い、前記第１抗体、前記測定対象成分、及び、前記第２抗体からなる第２の免疫複合体を担持する磁性担体粒子を含有する反応液を得る工程。
工程（５）：得られた反応液、又は、得られた反応液に洗浄液を添加して得られる懸濁液を収容する反応容器の側面に磁石を相対的に近接させ、前記第２の免疫複合体が担持された磁性担体粒子を反応容器の内面に集磁し、磁石により集磁された前記第２の免疫複合体が担持された磁性担体粒子とそれ以外の物質とを分離する工程。
工程（６）：分離された前記第２の免疫複合体が担持された磁性担体粒子以外の物質が含まれた溶液を除去する工程。
工程（７）：反応容器に洗浄液を添加して反応容器の側面から磁石を離脱させるか、反応容器の側面から磁石を離脱させて反応容器に洗浄液を添加するか、または反応容器に洗浄液を添加しながら反応容器の側面から磁石を離脱させる工程。
工程（８）：反応容器の側面に、直ぐ前に磁性担体粒子を集磁させたときの磁石と、高さが同じか又は低い磁石を相対的に近接させ、前記第２の免疫複合体が担持された磁性担体粒子を反応容器の内面に集磁した後、反応容器から洗浄液を除去する工程。
工程（９）：工程（７）及び（８）を、１回または複数回順次繰り返す工程であって、最後の洗浄工程における磁石の高さが、工程（５）における磁石の高さよりも低い工程。
【請求項１０】
最後の洗浄工程における磁石の高さが、検出試薬を、工程（９）の後の反応容器に添加して撹拌したときの液面の上端と同じ高さに設定されている、請求項８または請求項９に記載の磁性担体粒子の洗浄方法。
【請求項１１】
工程（２）における磁石の高さが、工程（１）の反応液、又は、工程（１）の反応液に洗浄液を添加して得られる懸濁液の液面の高さと同じである、請求項７〜請求項１０の何れか１項に記載の磁性担体粒子の洗浄方法。
【請求項１２】
工程（５）における磁石の高さが、工程（４）の反応液、又は、工程（４）の反応液に洗浄液を添加して得られる懸濁液の液面の高さと同じである、請求項７〜請求項１１の何れか１項に記載の磁性担体粒子の洗浄方法。
【請求項１３】
磁石が、磁性担体粒子の集磁毎に、反応容器を挟んで向かい合った位置に交互に配置される、請求項７〜請求項１２の何れか１項に記載の磁性担体粒子の洗浄方法。
【請求項１４】
磁性担体粒子を担体として用いる、検体中の測定対象成分の免疫学的測定方法における磁性担体粒子の洗浄方法であって、以下の工程を順次行うことを特徴とする、磁性担体粒子の洗浄方法。
工程（１）：反応容器に、検体と、検体中の測定対象成分に結合する第１抗体を含む試薬と、磁性担体粒子を含む試薬と、検体中の測定対象成分に結合する第２抗体を含む試薬を添加するか、または検体と、検体中の測定対象成分に結合する第１抗体が担持された磁性担体粒子を含む試薬と、測定対象成分に結合する第２抗体を含む試薬を添加し、
反応容器中で抗原抗体反応を行い、前記第１抗体、前記測定対象成分、及び、前記第２抗体からなる第２の免疫複合体を担持する磁性担体粒子を含有する反応液を得る工程。
工程（２）：得られた反応液、又は、得られた反応液に洗浄液を添加して得られる懸濁液を収容する反応容器の側面に磁石を相対的に近接させ、前記第２の免疫複合体が担持された磁性担体粒子を反応容器の内面に集磁し、磁石により集磁された前記第２の免疫複合体が担持された磁性担体粒子とそれ以外の物質とを分離する工程。
工程（３）：分離された、前記第２の免疫複合体が担持された磁性担体粒子以外の物質が含まれた溶液を除去する工程。
工程（４）：反応容器に洗浄液を添加して反応容器の側面から磁石を離脱させるか、反応容器の側面から磁石を離脱させて反応容器に洗浄液を添加するか、または反応容器に洗浄液を添加しながら反応容器の側面から磁石を離脱させる工程。
工程（５）：反応容器の側面に、直ぐ前に磁性担体粒子を集磁させたときの磁石よりも高さが低い磁石を相対的に近接させ、前記第２の免疫複合体が担持された磁性担体粒子を反応容器の内面に集磁した後、反応容器から洗浄液を除去する工程。
【請求項１５】
工程（５）の後に、さらに、以下の工程を行うことを特徴とする、請求項１４に記載の磁性担体粒子の洗浄方法。
工程（６）：工程（４）及び（５）を、１回または複数回順次繰り返す工程。
【請求項１６】
磁性担体粒子を担体として用いる、検体中の測定対象成分の免疫学的測定方法における磁性担体粒子の洗浄方法であって、以下の工程を順次行うことを特徴とする、磁性担体粒子の洗浄方法。
工程（１）：反応容器に、検体と、検体中の測定対象成分に結合する第１抗体を含む試薬と、磁性担体粒子を含む試薬と、検体中の測定対象成分に結合する第２抗体を含む試薬を添加するか、または検体と、検体中の測定対象成分に結合する第１抗体が担持された磁性担体粒子を含む試薬と、測定対象成分に結合する第２抗体を含む試薬を添加し、
反応容器中で抗原抗体反応を行い、前記第１抗体、前記測定対象成分、及び、前記第２抗体からなる第２の免疫複合体を担持する磁性担体粒子を含有する反応液を得る工程。
工程（２）：得られた反応液、又は、得られた反応液に洗浄液を添加して得られる懸濁液を収容する反応容器の側面に磁石を相対的に近接させ、前記第２の免疫複合体が担持された磁性担体粒子を反応容器の内面に集磁し、磁石により集磁された前記第２の免疫複合体が担持された磁性担体粒子とそれ以外の物質とを分離する工程。
工程（３）：分離された、前記第２の免疫複合体が担持された磁性担体粒子以外の物質が含まれた溶液を除去する工程。
工程（４）：反応容器に洗浄液を添加して反応容器の側面から磁石を離脱させるか、反応容器の側面から磁石を離脱させて反応容器に洗浄液を添加するか、または反応容器に洗浄液を添加しながら反応容器の側面から磁石を離脱させる工程。
工程（５）：反応容器の側面に、直ぐ前に磁性担体粒子を集磁させたときの磁石と、高さが同じか又は低い磁石を相対的に近接させ、前記第２の免疫複合体が担持された磁性担体粒子を反応容器の内面に集磁した後、反応容器から洗浄液を除去する工程。
工程（６）：工程（４）及び（５）を、１回または複数回順次繰り返す工程であって、最後の洗浄工程における磁石の高さが、工程（２）における磁石の高さよりも低い工程。
【請求項１７】
最後の洗浄工程における磁石の高さが、検出試薬を添加して撹拌したときの液面の上端と同じ高さに設定されている、請求項１５または請求項１６に記載の磁性担体粒子の洗浄方法。
【請求項１８】
工程（２）における磁石の高さが、工程（１）の反応液、又は、工程（１）の反応液に洗浄液を添加して得られる懸濁液の液面の高さと同じである、請求項１４〜請求項１７の何れか１項に記載の磁性担体粒子の洗浄方法。
【請求項１９】
磁石が、磁性担体粒子の集磁毎に、反応容器を挟んで向かい合った位置に交互に配置される、請求項１４〜請求項１８の何れか１項に記載の磁性担体粒子の洗浄方法。
【請求項２０】
磁性担体粒子を担体として用いる、検体中の測定対象成分の免疫学的測定方法における磁性担体粒子の洗浄方法であって、以下の工程を順次行うことを特徴とする、磁性担体粒子の洗浄方法。
工程（１）：反応容器に、検体と、競合物質に標識が結合してなる標識化競合物質を含む試薬と、前記測定対象成分と前記標識化競合物質とに結合する第１抗体を含む試薬と、磁性担体粒子を含む試薬を添加するか、
または、検体と、競合物質に標識が結合してなる標識化競合物質を含む試薬と、前記測定対象成分と前記標識化競合物質とに結合する第１抗体が担持された磁性担体粒子を含む試薬を添加し、
反応容器中で抗原抗体反応を行い、前記第１抗体と前記測定対象成分とからなる第３の免疫複合体、及び、前記第１抗体と前記標識化競合物質とからなる第４の免疫複合体が担持された磁性担体粒子を含有する反応液を得る工程。
工程（２）：得られた反応液、又は、得られた反応液に洗浄液を添加して得られる懸濁液を収容する反応容器の側面に磁石を相対的に近接させ、前記第３の免疫複合体、及び、前記第４の免疫複合体が担持された磁性担体粒子を反応容器の内面に集磁し、磁石により集磁された、前記第３の免疫複合体、及び、前記第４の免疫複合体が担持された磁性担体粒子とそれ以外の物質とを分離する工程。
工程（３）：分離された、前記第３の免疫複合体、及び、前記第４の免疫複合体が担持された磁性担体粒子以外の物質が含まれた溶液を除去する工程。
工程（４）：反応容器に洗浄液を添加して反応容器の側面から磁石を離脱させるか、反応容器の側面から磁石を離脱させて反応容器に洗浄液を添加するか、または反応容器に洗浄液を添加しながら反応容器の側面から磁石を離脱させる工程。
工程（５）：反応容器の側面に、直ぐ前に磁性担体粒子を集磁させたときの磁石よりも高さが低い磁石を相対的に近接させ、前記第３の免疫複合体、及び、前記第４の免疫複合体が担持された磁性担体粒子を反応容器の内面に集磁した後、反応容器から洗浄液を除去する工程。
【請求項２１】
工程（５）の後に、さらに、以下の工程を行うことを特徴とする、請求項２０に記載の
磁性担体粒子の洗浄方法。
工程（６）：工程（４）及び（５）を、１回または複数回順次繰り返す工程。
【請求項２２】
磁性担体粒子を担体として用いる、検体中の測定対象成分の免疫学的測定方法における磁性担体粒子の洗浄方法であって、以下の工程を順次行うことを特徴とする、磁性担体粒子の洗浄方法。
工程（１）：反応容器に、検体と、競合物質に標識が結合してなる標識化競合物質を含む試薬と、前記測定対象成分と前記標識化競合物質とに結合する第１抗体を含む試薬と、磁性担体粒子を含む試薬を添加するか、または、検体と、競合物質に標識が結合してなる標識化競合物質を含む試薬と、前記測定対象成分と前記標識化競合物質とに結合する第１抗体が担持された磁性担体粒子を含む試薬を添加し、
反応容器中で抗原抗体反応を行い、前記第１抗体と前記測定対象成分とからなる第３の免疫複合体、及び、前記第１抗体と前記標識化競合物質とからなる第４の免疫複合体が担持された磁性担体粒子を含有する反応液を得る工程。
工程（２）：得られた反応液、又は、得られた反応液に洗浄液を添加して得られる懸濁液を収容する反応容器の側面に磁石を相対的に近接させ、前記第３の免疫複合体、及び、前記第４の免疫複合体が担持された磁性担体粒子を反応容器の内面に集磁し、磁石により集磁された、前記第３の免疫複合体、及び、前記第４の免疫複合体が担持された磁性担体粒子とそれ以外の物質とを分離する工程。
工程（３）：分離された、前記第３の免疫複合体、及び、前記第４の免疫複合体が担持された磁性担体粒子以外の物質が含まれた溶液を除去する工程。
工程（４）：反応容器に洗浄液を添加して反応容器の側面から磁石を離脱させるか、反応容器の側面から磁石を離脱させて反応容器に洗浄液を添加するか、または反応容器に洗浄液を添加しながら反応容器の側面から磁石を離脱させる工程。
工程（５）：反応容器の側面に、直ぐ前に磁性担体粒子を集磁させたときの磁石と、高さが同じか又は低い磁石を相対的に近接させ、前記第３の免疫複合体、及び、前記第４の免疫複合体が担持された磁性担体粒子を反応容器の内面に集磁した後、反応容器から洗浄液を除去する工程。
工程（６）：工程（４）及び（５）を、１回または複数回順次繰り返す工程であって、最後の洗浄工程における磁石の高さが、工程（２）における磁石の高さよりも低い工程。
【請求項２３】
最後の洗浄工程における磁石の高さが、検出試薬を、工程（６）の後の反応容器に添加して撹拌したときの液面の上端と同じ高さに設定されている、請求項２１または請求項２２に記載の磁性担体粒子の洗浄方法。
【請求項２４】
工程（２）における磁石の高さが、工程（１）の反応液、又は、工程（１）の反応液に洗浄液を添加して得られる懸濁液の液面の高さと同じである、請求項２０〜請求項２３の何れか１項に記載の磁性担体粒子の洗浄方法。
【請求項２５】
磁石が、磁性担体粒子の集磁毎に、反応容器を挟んで向かい合った位置に交互に配置される、請求項２０〜請求項２４の何れか１項に記載の磁性担体粒子の洗浄方法。
【請求項２６】
磁性担体粒子を担体として用いる、検体中の測定対象成分の免疫学的測定方法における磁性担体粒子の洗浄方法であって、以下の工程を順次行うことを特徴とする、磁性担体粒子の洗浄方法。
工程（１）：反応容器に、検体と、検体中の測定対象成分と競合物質とに結合する第１抗体を含む試薬と、競合物質を含む試薬と、磁性担体粒子を含む試薬を添加するか、または、検体と、検体中の測定対象成分と競合物質とに結合する第１抗体を含む試薬と、前記競合物質が担持された磁性担体粒子を含む試薬を添加し、
反応容器中で抗原抗体反応を行い、前記競合物質と前記第１抗体とからなる第５の免疫
複合体が担持された磁性担体粒子を含有する反応液を得る工程。
工程（２）：得られた反応液、又は、得られた反応液に洗浄液を添加して得られる懸濁液を収容する反応容器の側面に磁石を相対的に近接させ、前記第５の免疫複合体が担持された磁性担体粒子を反応容器の内面に集磁し、磁石により集磁された前記第５の免疫複合体が担持された磁性担体粒子とそれ以外の物質とを分離する工程。
工程（３）：分離された、前記第５の免疫複合体が担持された磁性担体粒子以外の物質が含まれた溶液を除去する工程。
工程（４）：反応容器に洗浄液を添加して反応容器の側面から磁石を離脱させるか、反応容器の側面から磁石を離脱させて反応容器に洗浄液を添加するか、または反応容器に洗浄液を添加しながら反応容器の側面から磁石を離脱させる工程。
工程（５）：反応容器の側面に、直ぐ前に磁性担体粒子を集磁させたときの磁石よりも高さが低い磁石を相対的に近接させ、前記第５の免疫複合体が担持された磁性担体粒子を反応容器の内面に集磁した後、反応容器から洗浄液を除去する工程。
【請求項２７】
工程（５）の後に、さらに、以下の工程を行うことを特徴とする、請求項２６に記載の磁性担体粒子の洗浄方法。
工程（６）：工程（４）及び（５）を、１回または複数回順次繰り返す工程。
【請求項２８】
磁性担体粒子を担体として用いる、検体中の測定対象成分の免疫学的測定方法における磁性担体粒子の洗浄方法であって、以下の工程を順次行うことを特徴とする、磁性担体粒子の洗浄方法。
工程（１）：反応容器に、検体と、検体中の測定対象成分と競合物質とに結合する第１抗体を含む試薬と、競合物質を含む試薬と、磁性担体粒子を含む試薬を添加するか、または、検体と、検体中の測定対象成分と前記競合物質とに結合する第１抗体を含む試薬と、前記競合物質が担持された磁性担体粒子を含む試薬を添加し、
反応容器中で抗原抗体反応を行い、前記競合物質と前記第１抗体とからなる第５の免疫複合体が担持された磁性担体粒子を含有する反応液を得る工程。
工程（２）：得られた反応液、又は、得られた反応液に洗浄液を添加して得られる懸濁液を収容する反応容器の側面に磁石を相対的に近接させ、前記第５の免疫複合体が担持された磁性担体粒子を反応容器の内面に集磁し、磁石により集磁された前記第５の免疫複合体が担持された磁性担体粒子とそれ以外の物質とを分離する工程。
工程（３）：分離された、前記第５の免疫複合体が担持された磁性担体粒子以外の物質が含まれた溶液を除去する工程。
工程（４）：反応容器に洗浄液を添加して反応容器の側面から磁石を離脱させるか、反応容器の側面から磁石を離脱させて反応容器に洗浄液を添加するか、または反応容器に洗浄液を添加しながら反応容器の側面から磁石を離脱させる工程。
工程（５）：反応容器の側面に、直ぐ前に磁性担体粒子を集磁させたときの磁石と、高さが同じか又は低い磁石を相対的に近接させ、前記第５の免疫複合体が担持された磁性担体粒子を反応容器の内面に集磁した後、反応容器から洗浄液を除去する工程。
工程（６）：工程（４）及び（５）を、１回または複数回順次繰り返す工程であって、最後の洗浄工程における磁石の高さが、工程（２）における磁石の高さよりも低い工程。
【請求項２９】
最後の洗浄工程における磁石の高さが、検出試薬を、工程（６）の後の反応容器に添加して撹拌したときの液面の上端と同じ高さに設定されている、請求項２７または請求項２８に記載の磁性担体粒子の洗浄方法。
【請求項３０】
工程（２）における磁石の高さが、工程（１）の反応液、又は、工程（１）の反応液に洗浄液を添加して得られる懸濁液の液面の高さと同じである、請求項２６〜請求項２９の何れか１項に記載の磁性担体粒子の洗浄方法。
【請求項３１】
磁石が、磁性担体粒子の集磁毎に、反応容器を挟んで向かい合った位置に交互に配置される、請求項２６〜請求項３０の何れか１項に記載の磁性担体粒子の洗浄方法。
【請求項３２】
請求項１〜６のいずれか１項に記載の磁性担体粒子の洗浄方法で洗浄された磁性担体粒子と、第２抗体を含有する試薬とを反応させて、第１抗体、測定対象成分、及び、第２抗体からなる第２の免疫複合体を磁性担体粒子に生成させ、生成した前記第２の免疫複合体の量を測定することを特徴とする、検体中の測定対象成分の免疫学的測定方法。
【請求項３３】
請求項７〜３１のいずれか１項に記載の磁性担体粒子の洗浄方法で洗浄された磁性担体粒子と、検出試薬とを反応させて、前記磁性担体粒子上に生成した免疫複合体の量を測定することを特徴とする、検体中の測定対象成分の免疫学的測定方法。
【発明の詳細な説明】
【技術分野】
【０００１】
本発明は、免疫学的測定方法において担体として用いる磁性担体粒子の洗浄方法、磁性担体粒子の洗浄装置、及び磁性担体粒子を用いる免疫学的測定方法に関する。
【背景技術】
【０００２】
従来、磁化可能な粒子または磁気的に引き付け可能な粒子、例えば、磁性担体粒子を処理するためのデバイスおよび方法が知られている（例えば、特許文献１参照）。【０００３】
免疫測定法では、先ず最初に、反応容器に磁性担体粒子を含有した試薬、第１抗体を含有した試薬、及び検体を添加し、磁性担体粒子上に、第１抗体、及び測定対象成分の免疫複合体を形成させ、該免疫複合体が担持された磁性担体粒子以外の、例えば、磁性担体粒子に結合していない第１抗体等を洗浄液を用いて除去する。
その後、第１抗体、及び測定対象成分の免疫複合体が残された反応容器に、標識化第２抗体を含有する試薬を添加して、磁性担体粒子上に、第１抗体、測定対象成分、及び標識化第２抗体の免疫複合体を形成させ、この免疫複合体中の標識化第２抗体の標識量を測定することにより、検体中の測定対象成分の測定が行われている。
【先行技術文献】
【特許文献】
【０００４】
【特許文献１】特許第４２５４９２４号公報
【発明の概要】
【発明が解決しようとする課題】
【０００５】
ところで、磁性担体粒子に結合していない第１抗体等を洗浄液を用いて除去する場合、反応容器に洗浄液を添加して免疫複合体が担持された磁性担体粒子が含まれた試薬を懸濁し、その後、反応容器の側面に磁石を配置して、該免疫複合体が担持された磁性担体粒子を反応容器の内面に集磁し、磁性担体粒子に結合していない第１抗体等が含まれた洗浄液を吸引等して除去する。【０００６】
しかしながら、磁石の高さよりも洗浄液の液面が高い場合には、洗浄液の上部に磁石の磁力が届き難く、洗浄液中の該免疫複合体が担持された磁性担体粒子を集磁し難くなり、該免疫複合体が担持された磁性担体粒子の回収効率が低下する。免疫複合体が担持された磁性担体粒子の回収効率が低下すると、検体中の測定対象成分を正確に測定することが出来なくなる。
また、洗浄液で洗浄された、該免疫複合体が担持された磁性担体粒子を含む反応容器に標識化第２抗体を含む試薬等を添加した後、全体を攪拌して該磁性担体粒子を標識化第２抗体を含む試薬等に懸濁させる場合、該磁性担体粒子を集磁する磁石の高さが、標識化第２抗体を含む試薬等を反応容器に添加して、全体を攪拌する際の液面の上端の高さよりも高い場合には、該液面の上端の高さよりも高い位置で集磁された磁性担体粒子は攪拌しても標識化第２抗体を含む試薬等に懸濁されず、その結果、磁性担体粒子の標識化第２抗体を含む試薬等への分散性が悪くなり、検体中の測定対象成分を正確に測定することが出来なくなる。【０００７】
本発明は上記事実を考慮し、検体中の測定対象成分の正確な測定を可能とする磁性担体粒子の洗浄方法、磁性担体粒子の洗浄装置、及び免疫学的測定方法を提供することを課題とする。
【課題を解決するための手段】
【００７０】
第１の態様に係る磁性担体粒子の洗浄方法は、磁性担体粒子を担体として用いる、検体中の測定対象成分の免疫学的測定方法における磁性担体粒子の洗浄方法であって、以下の工程を順次行うことを特徴とする。
工程（１）：反応容器に、検体と、検体中の測定対象成分に結合する第１抗体を含む試
薬と、磁性担体粒子を含む試薬を添加するか、または検体中の測定対象成分に結合する第１抗体が担持された磁性担体粒子を含む試薬を添加し、
反応容器中で抗原抗体反応を行い、前記第１抗体と前記測定対象成分とからなる第１の免疫複合体を担持する磁性担体粒子を含有する反応液を得る工程。
工程（２）：得られた反応液、又は、得られた反応液に洗浄液を添加して得られる懸濁液を収容する反応容器の側面に磁石を相対的に近接させ、前記第１の免疫複合体が担持された磁性担体粒子を反応容器の内面に集磁し、磁石により集磁された前記第１の免疫複合体が担持された磁性担体粒子とそれ以外の物質とを分離する工程。
工程（３）：分離された前記第１の免疫複合体が担持された磁性担体粒子以外の物質が含まれた溶液を除去する工程。
工程（４）：反応容器に洗浄液を添加して反応容器の側面から磁石を離脱させるか、反応容器の側面から磁石を離脱させて反応容器に洗浄液を添加するか、または反応容器に洗浄液を添加しながら反応容器の側面から磁石を離脱させる工程。
工程（５）：反応容器の側面に、直ぐ前に磁性担体粒子を集磁させたときの磁石よりも高さが低い磁石を相対的に近接させ、前記第１の免疫複合体が担持された磁性担体粒子を反応容器の内面に集磁した後、反応容器から洗浄液を除去する工程。
【００７１】
第１の態様に係る磁性担体粒子の洗浄方法では、工程（１）において、反応容器に、検体と、検体中の測定対象成分に結合する第１抗体を含む試薬と、磁性担体粒子を含む試薬を添加するか、または検体中の測定対象成分に結合する第１抗体が担持された磁性担体粒子を含む試薬を添加し、反応容器中で抗原抗体反応を行い、第１抗体と測定対象成分とからなる第１の免疫複合体を担持する磁性担体粒子を含有する反応液を得る。
工程（２）では、得られた反応液、又は、得られた反応液に洗浄液を添加して得られる懸濁液を収容する反応容器の側面に磁石を相対的に近接させ、第１の免疫複合体が担持された磁性担体粒子を反応容器の内面に集磁し、磁石により集磁された第１の免疫複合体が担持された磁性担体粒子とそれ以外の物質とを分離する。
工程（３）では、分離された第１の免疫複合体が担持された磁性担体粒子以外の物質が含まれた溶液を除去する。
工程（４）では、反応容器に洗浄液を添加して反応容器の側面から磁石を離脱させるか、反応容器の側面から磁石を離脱させて反応容器に洗浄液を添加するか、または反応容器に洗浄液を添加しながら反応容器の側面から磁石を離脱させる。
工程（５）では、反応容器の側面に、直ぐ前に磁性担体粒子を集磁させたときの磁石よりも高さが低い磁石を相対的に近接させ、第１の免疫複合体が担持された磁性担体粒子を反応容器の内面に集磁した後、反応容器から洗浄液を除去する。
これにより、高い洗浄効果が得られ、また、反応容器の内面に集められた、第１の免疫複合体が担持された磁性担体粒子の高さを低くできる。また、反応容器の内面に集められた、第１の免疫複合体が担持された磁性担体粒子の高さを低くできるので、その後に、試薬等を添加して第１の免疫複合体が担持された磁性担体粒子を懸濁させる際に、試薬等の量が少なくて済み、かつ、少ない試薬等であっても、第１の免疫複合体が担持された磁性担体粒子を確実に分散させることが可能となる。
【００７２】
第２の態様に係る磁性担体粒子の洗浄方法は、第１の態様に係る磁性担体粒子の洗浄方法において、工程（５）の後に、さらに、以下の工程を行うことを特徴とする。
工程（６）：工程（４）及び（５）を、１回または複数回順次繰り返す工程。
【００７３】
第２の態様に係る磁性担体粒子の洗浄方法では、工程（５）の後に、工程（６）が行われる。
工程（６）では、工程（４）及び工程（５）を、１回または複数回順次繰り返す。このように、洗浄液の添加、及び除去を繰り返すことで、洗浄効果が向上し、また、反応容器の内面に集められた、第１の免疫複合体が担持された磁性担体粒子の高さを低くできるの
で、その後に、試薬等を添加して第１の免疫複合体が担持された磁性担体粒子を懸濁させる際に、試薬等の量が少なくて済み、かつ、少ない試薬等であっても、第１の免疫複合体が担持された磁性担体粒子を確実に分散させることが可能となる。
【００７４】
第３の態様に係る磁性担体粒子の洗浄方法は、磁性担体粒子を担体として用いる、検体中の測定対象成分の免疫学的測定方法における磁性担体粒子の洗浄方法であって、以下の工程を順次行うことを特徴とする。
工程（１）：反応容器に、検体と、検体中の測定対象成分に結合する第１抗体を含む試薬と、磁性担体粒子を含む試薬を添加するか、または検体と、検体中の測定対象成分に結合する第１抗体が担持された磁性担体粒子を含む試薬を添加し、反応容器中で抗原抗体反応を行い、前記第１抗体と前記測定対象成分とからなる第１の免疫複合体を担持する磁性担体粒子を含有する反応液を得る工程。
工程（２）：得られた反応液、又は、得られた反応液に洗浄液を添加して得られる懸濁液を収容する反応容器の側面に磁石を相対的に近接させ、前記第１の免疫複合体が担持された磁性担体粒子を反応容器の内面に集磁し、磁石により集磁された前記第１の免疫複合体が担持された磁性担体粒子とそれ以外の物質とを分離する工程。
工程（３）：分離された前記第１の免疫複合体が担持された磁性担体粒子以外の物質が含まれた溶液を除去する工程。
工程（４）：反応容器に洗浄液を添加して反応容器の側面から磁石を離脱させるか、反応容器の側面から磁石を離脱させて反応容器に洗浄液を添加するか、または反応容器に洗浄液を添加しながら反応容器の側面から磁石を離脱させる工程。
工程（５）：反応容器の側面に、直ぐ前に磁性担体粒子を集磁させたときの磁石と、高さが同じか又は低い磁石を相対的に近接させ、前記第１の免疫複合体が担持された磁性担体粒子を反応容器の内面に集磁した後、反応容器から洗浄液を除去する工程。
工程（６）：工程（４）及び（５）を、１回または複数回順次繰り返す工程であって、最後の洗浄工程における磁石の高さが、工程（２）における磁石の高さよりも低い工程。
【００７５】
第３の態様に係る磁性担体粒子の洗浄方法では、工程（１）において、反応容器に、検体と、検体中の測定対象成分に結合する第１抗体を含む試薬と、磁性担体粒子を含む試薬を添加するか、または検体と、検体中の測定対象成分に結合する第１抗体が担持された磁性担体粒子を含む試薬を添加し、反応容器中で抗原抗体反応を行い、第１抗体と測定対象成分とからなる第１の免疫複合体を担持する磁性担体粒子を含有する反応液を得る。
工程（２）では、得られた反応液、又は、得られた反応液に洗浄液を添加して得られる懸濁液を収容する反応容器の側面に磁石を相対的に近接させ、第１の免疫複合体が担持された磁性担体粒子を反応容器の内面に集磁し、磁石により集磁された第１の免疫複合体が担持された磁性担体粒子とそれ以外の物質とを分離する。
工程（３）では、分離された第１の免疫複合体が担持された磁性担体粒子以外の物質が含まれた溶液を除去する。
工程（４）では、反応容器に洗浄液を添加して反応容器の側面から磁石を離脱させるか、反応容器の側面から磁石を離脱させて反応容器に洗浄液を添加するか、または反応容器に洗浄液を添加しながら反応容器の側面から磁石を離脱させる。
工程（５）では、反応容器の側面に、直ぐ前に磁性担体粒子を集磁させたときの磁石と、高さが同じか又は低い磁石を相対的に近接させ、第１の免疫複合体が担持された磁性担体粒子を反応容器の内面に集磁した後、反応容器から洗浄液を除去する。
工程（６）は、工程（４）及び工程（５）を、１回または複数回順次繰り返す工程であって、最後の洗浄工程における磁石の高さが、工程（２）における磁石の高さよりも低い。
これにより、高い洗浄効果が得られ、また、反応容器の内面に集められた、第１の免疫複合体が担持された磁性担体粒子の高さを低くできるので、その後に、試薬等を添加して第１の免疫複合体が担持された磁性担体粒子を懸濁させる際に、試薬等の量が少なくて済
み、かつ、少ない試薬等であっても、第１の免疫複合体が担持された磁性担体粒子を確実に分散させることが可能となる。
【００７６】
第４の態様に係る磁性担体粒子の洗浄方法は、第２の態様または第３の態様の磁性担体粒子の洗浄方法において、最後の洗浄工程における磁石の高さが、前記測定対象成分に結合する第２抗体を含む試薬を、工程（６）の後の反応容器に添加して撹拌したときの液面の上端と同じ高さに設定されている。
【００７７】
第４の態様に係る磁性担体粒子の洗浄方法では、最後の洗浄工程における磁石の高さが、測定対象成分に結合する第２抗体を含む試薬を、工程（６）の後の反応容器に添加して撹拌したときの液面の上端と同じ高さに設定されているため、集磁された磁性担体粒子の上端の位置が、第２抗体を含む試薬を、工程（６）の後の反応容器に添加して撹拌したときの液面の上端と同じ高さとなり、第２抗体を含む試薬を撹拌した際に、集磁された磁性担体粒子が反応容器の内面に残存することなく、第２抗体を含む試薬に確実に分散させることができる。
【００７８】
第５の態様に係る磁性担体粒子の洗浄方法は、第１の態様〜第４の態様の何れか１つの磁性担体粒子の洗浄方法において、工程（２）における磁石の高さが、工程（１）の反応液、又は、工程（１）の反応液に洗浄液を添加して得られる懸濁液の液面の高さと同じである。
【００７９】
第５の態様に係る磁性担体粒子の洗浄方法では、工程（２）における磁石の高さが、工程（１）の反応液、又は、工程（１）の反応液に洗浄液を添加して得られる懸濁液の液面の高さと同じであるため、反応容器内の反応液、又は、懸濁液の上下方向全体に磁石の磁力を作用させて、磁性担体粒子を効率的、かつ確実に集磁して回収することができる。
【００８０】
第６の態様に係る磁性担体粒子の洗浄方法は、第１の態様〜第５の態様の何れか１つの磁性担体粒子の洗浄方法において、磁石が、磁性担体粒子の集磁毎に、反応容器を挟んで向かい合った位置に交互に配置される。
【００８１】
第６の態様に係る磁性担体粒子の洗浄方法では、磁石が、磁性担体粒子の集磁毎に、反応容器を挟んで向かい合った位置に交互に配置されているため、磁性担体粒子は、確実に分散された後に反応容器の一方側と他方側とに交互に集磁されるため、磁性担体粒子の洗浄効果が向上する。
【００８２】
第７の態様に係る磁性担体粒子の洗浄方法は、磁性担体粒子を担体として用いる、検体中の測定対象成分の免疫学的測定方法における磁性担体粒子の洗浄方法であって、以下の工程を順次行うことを特徴とする。
工程（１）：反応容器に、検体と、検体中の測定対象成分に結合する第１抗体を含む試薬と、磁性担体粒子を含む試薬を添加するか、または検体と、検体中の測定対象成分に結合する第１抗体が担持された磁性担体粒子を含む試薬を添加し、反応容器中で抗原抗体反応を行い、前記第１抗体と前記測定対象成分とからなる第１の免疫複合体を担持する磁性担体粒子を含有する反応液を得る工程。
工程（２）：得られた反応液、又は、得られた反応液に洗浄液を添加して得られる懸濁液を収容する反応容器の側面に磁石を相対的に近接させ、前記第１の免疫複合体が担持された磁性担体粒子を反応容器の内面に集磁し、磁石により集磁された前記第１の免疫複合体が担持された磁性担体粒子とそれ以外の物質とを分離する工程。
工程（３）：分離された前記第１の免疫複合体が担持された磁性担体粒子以外の物質が含まれた溶液を除去する工程。
工程（４）：反応容器に、前記測定対象成分に結合する第２抗体を含む試薬を添加し、
反応容器中で抗原抗体反応を行い、前記第１抗体、前記測定対象成分、及び、前記第２抗体からなる第２の免疫複合体を担持する磁性担体粒子を含有する反応液を得る工程。
工程（５）：得られた反応液、又は、得られた反応液に洗浄液を添加して得られる懸濁液を収容する反応容器の側面に磁石を相対的に近接させ、前記第２の免疫複合体が担持された磁性担体粒子を反応容器の内面に集磁し、磁石により集磁された前記第２の免疫複合体が担持された磁性担体粒子とそれ以外の物質とを分離する工程。
工程（６）：分離された前記第２の免疫複合体が担持された磁性担体粒子以外の物質が含まれた溶液を除去する工程。
工程（７）：反応容器に洗浄液を添加して反応容器の側面から磁石を離脱させるか、反応容器の側面から磁石を離脱させて反応容器に洗浄液を添加するか、または反応容器に洗浄液を添加しながら反応容器の側面から磁石を離脱させる工程。
工程（８）：反応容器の側面に、直ぐ前に磁性担体粒子を集磁させたときの磁石よりも高さが低い磁石を相対的に近接させ、前記第２の免疫複合体が担持された磁性担体粒子を反応容器の内面に集磁した後、反応容器から洗浄液を除去する工程。
【００８３】
第７の態様に係る磁性担体粒子の洗浄方法では、工程（１）において、反応容器に、検体と、検体中の測定対象成分に結合する第１抗体を含む試薬と、磁性担体粒子を含む試薬を添加するか、または検体と、検体中の測定対象成分に結合する第１抗体が担持された磁性担体粒子を含む試薬を添加し、反応容器中で抗原抗体反応を行い、第１抗体と測定対象成分とからなる第１の免疫複合体を担持する磁性担体粒子を含有する反応液を得る。
工程（２）では、得られた反応液、又は、得られた反応液に洗浄液を添加して得られる懸濁液を収容する反応容器の側面に磁石を相対的に近接させ、第１の免疫複合体が担持された磁性担体粒子を反応容器の内面に集磁し、磁石により集磁された第１の免疫複合体が担持された磁性担体粒子とそれ以外の物質とを分離する。
工程（３）では、分離された第１の免疫複合体が担持された磁性担体粒子以外の物質が含まれた溶液を除去する。
工程（４）では、反応容器に、測定対象成分に結合する第２抗体を含む試薬を添加し、反応容器中で抗原抗体反応を行い、第１抗体、測定対象成分、及び、第２抗体からなる第２の免疫複合体を担持する磁性担体粒子を含有する反応液を得る。
工程（５）では、得られた反応液、又は、得られた反応液に洗浄液を添加して得られる懸濁液を収容する反応容器の側面に磁石を相対的に近接させ、第２の免疫複合体が担持された磁性担体粒子を反応容器の内面に集磁し、磁石により集磁された第２の免疫複合体が担持された磁性担体粒子とそれ以外の物質とを分離する。
工程（６）では、分離された第２の免疫複合体が担持された磁性担体粒子以外の物質が含まれた溶液を除去する。
工程（７）では、反応容器に洗浄液を添加して反応容器の側面から磁石を離脱させるか、反応容器の側面から磁石を離脱させて反応容器に洗浄液を添加するか、または反応容器に洗浄液を添加しながら反応容器の側面から磁石を離脱させる。
工程（８）では、反応容器の側面に、直ぐ前に磁性担体粒子を集磁させたときの磁石よりも高さが低い磁石を相対的に近接させ、第２の免疫複合体が担持された磁性担体粒子を反応容器の内面に集磁した後、反応容器から洗浄液を除去する。
これにより、高い洗浄効果が得られ、また、反応容器の内面に集められた、第２の免疫複合体が担持された磁性担体粒子の高さを低くできるので、その後に、試薬等を添加して第２の免疫複合体が担持された磁性担体粒子を懸濁させる際に、試薬等の量が少なくて済み、かつ、少ない試薬等であっても、第２の免疫複合体が担持された磁性担体粒子を確実に分散させることが可能となる。
【００８４】
第８の態様に係る磁性担体粒子の洗浄方法は、第７の態様に係る磁性担体粒子の洗浄方法において、工程（８）の後に、さらに、以下の工程を行うことを特徴とする。
工程（９）：工程（７）及び（８）を、１回または複数回順次繰り返す工程。
【００８５】
第８の態様に係る磁性担体粒子の洗浄方法では、工程（８）の後に、工程（９）が行われる。工程（９）では、工程（７）及び（８）を、１回または複数回順次繰り返す。
このように、洗浄液の添加、及び除去を繰り返すことで、洗浄効果が向上し、また、反応容器の内面に集められた、第２の免疫複合体が担持された磁性担体粒子の高さを低くできるので、その後に、試薬等を添加して第２の免疫複合体が担持された磁性担体粒子を懸濁させる際に、試薬等の量が少なくて済み、かつ、少ない試薬等であっても、第２の免疫複合体が担持された磁性担体粒子を確実に分散させることが可能となる。
【００８６】
第９の態様に係る磁性担体粒子の洗浄方法は、磁性担体粒子を担体として用いる、検体中の測定対象成分の免疫学的測定方法における磁性担体粒子の洗浄方法であって、以下の工程を順次行うことを特徴とする。
工程（１）：反応容器に、検体と、検体中の測定対象成分に結合する第１抗体を含む試薬と、磁性担体粒子を含む試薬を添加するか、または検体と、検体中の測定対象成分に結合する第１抗体が担持された磁性担体粒子を含む試薬を添加し、反応容器中で抗原抗体反応を行い、前記第１抗体と前記測定対象成分とからなる第１の免疫複合体を担持する磁性担体粒子を含有する反応液を得る工程。
工程（２）：得られた反応液、又は、得られた反応液に洗浄液を添加して得られる懸濁液を収容する反応容器の側面に磁石を相対的に近接させ、前記第１の免疫複合体が担持された磁性担体粒子を反応容器の内面に集磁し、磁石により集磁された前記第１の免疫複合体が担持された磁性担体粒子とそれ以外の物質とを分離する工程。
工程（３）：分離された前記第１の免疫複合体が担持された磁性担体粒子以外の物質が含まれた溶液を除去する工程。
工程（４）：反応容器に、前記測定対象成分に結合する第２抗体を含む試薬を添加し、反応容器中で抗原抗体反応を行い、前記第１抗体、前記測定対象成分、及び、前記第２抗体からなる第２の免疫複合体を担持する磁性担体粒子を含有する反応液を得る工程。
工程（５）：得られた反応液、又は、得られた反応液に洗浄液を添加して得られる懸濁液を収容する反応容器の側面に磁石を相対的に近接させ、前記第２の免疫複合体が担持された磁性担体粒子を反応容器の内面に集磁し、磁石により集磁された前記第２の免疫複合体が担持された磁性担体粒子とそれ以外の物質とを分離する工程。
工程（６）：分離された前記第２の免疫複合体が担持された磁性担体粒子以外の物質が含まれた溶液を除去する工程。
工程（７）：反応容器に洗浄液を添加して反応容器の側面から磁石を離脱させるか、反応容器の側面から磁石を離脱させて反応容器に洗浄液を添加するか、または反応容器に洗浄液を添加しながら反応容器の側面から磁石を離脱させる工程。
工程（８）：反応容器の側面に、直ぐ前に磁性担体粒子を集磁させたときの磁石と、高さが同じか又は低い磁石を相対的に近接させ、前記第２の免疫複合体が担持された磁性担体粒子を反応容器の内面に集磁した後、反応容器から洗浄液を除去する工程。
工程（９）：工程（７）及び（８）を、１回または複数回順次繰り返す工程であって、最後の洗浄工程における磁石の高さが、工程（５）における磁石の高さよりも低い工程。
【００８７】
第９の態様に係る磁性担体粒子の洗浄方法では、工程（１）において、反応容器に、検体と、検体中の測定対象成分に結合する第１抗体を含む試薬と、磁性担体粒子を含む試薬を添加するか、または検体と、検体中の測定対象成分に結合する第１抗体が担持された磁性担体粒子を含む試薬を添加し、反応容器中で抗原抗体反応を行い、第１抗体と測定対象成分とからなる第１の免疫複合体を担持する磁性担体粒子を含有する反応液を得る。
工程（２）では、得られた反応液、又は、得られた反応液に洗浄液を添加して得られる懸濁液を収容する反応容器の側面に磁石を相対的に近接させ、第１の免疫複合体が担持された磁性担体粒子を反応容器の内面に集磁し、磁石により集磁された第１の免疫複合体が担持された磁性担体粒子とそれ以外の物質とを分離する。
工程（３）では、分離された第１の免疫複合体が担持された磁性担体粒子以外の物質が含まれた溶液を除去する。
工程（４）では、反応容器に、測定対象成分に結合する第２抗体を含む試薬を添加し、反応容器中で抗原抗体反応を行い、第１抗体、測定対象成分、及び、第２抗体からなる第２の免疫複合体を担持する磁性担体粒子を含有する反応液を得る。
工程（５）では、得られた反応液、又は、得られた反応液に洗浄液を添加して得られる懸濁液を収容する反応容器の側面に磁石を相対的に近接させ、第２の免疫複合体が担持された磁性担体粒子を反応容器の内面に集磁し、磁石により集磁された第２の免疫複合体が担持された磁性担体粒子とそれ以外の物質とを分離する。
工程（６）では、分離された第２の免疫複合体が担持された磁性担体粒子以外の物質が含まれた溶液を除去する。
工程（７）では、反応容器に洗浄液を添加して反応容器の側面から磁石を離脱させるか、反応容器の側面から磁石を離脱させて反応容器に洗浄液を添加するか、または反応容器に洗浄液を添加しながら反応容器の側面から磁石を離脱させる。
工程（８）では、反応容器の側面に、直ぐ前に磁性担体粒子を集磁させたときの磁石と、高さが同じか又は低い磁石を相対的に近接させ、第２の免疫複合体が担持された磁性担体粒子を反応容器の内面に集磁した後、反応容器から洗浄液を除去する工程。
工程（９）は、工程（７）及び（８）を、１回または複数回順次繰り返す工程であって、最後の洗浄工程における磁石の高さが、工程（５）における磁石の高さよりも低い。
これにより、高い洗浄効果が得られ、また、反応容器の内面に集められた、第２の免疫複合体が担持された磁性担体粒子の高さを低くできるので、その後に、試薬等を添加して第２の免疫複合体が担持された磁性担体粒子を懸濁させる際に、試薬等の量が少なくて済み、かつ、少ない試薬等であっても、第２の免疫複合体が担持された磁性担体粒子を確実に分散させることが可能となる。
【００８８】
第１０の態様に係る磁性担体粒子の洗浄方法は、第８の態様または第９の態様に係る磁性担体粒子の洗浄方法において、最後の洗浄工程における磁石の高さが、検出試薬を、工程（９）の後の反応容器に添加して撹拌したときの液面の上端と同じ高さに設定されている。
【００８９】
第１０の態様に係る磁性担体粒子の洗浄方法では、最後の洗浄工程における磁石の高さが、検出試薬を、工程（９）の後の反応容器に添加して撹拌したときの液面の上端と同じ高さに設定されているため、集磁された磁性担体粒子の上端の位置が、検出試薬を、工程（９）の後の反応容器に添加して撹拌したときの液面の上端と同じ高さとなり、検出試薬を撹拌した際に、集磁された磁性担体粒子が反応容器の内面に残存することなく、検出試薬に確実に分散させることができる。
【００９０】
第１１の態様に係る磁性担体粒子の洗浄方法は、第７の態様〜第１０の態様の何れか１つの磁性担体粒子の洗浄方法において、工程（２）における磁石の高さが、工程（１）の反応液、又は、工程（１）の反応液に洗浄液を添加して得られる懸濁液の液面の高さと同じである。
【００９１】
第１１の態様に係る磁性担体粒子の洗浄方法では、工程（２）における磁石の高さが、工程（１）の反応液、又は、工程（１）の反応液に洗浄液を添加して得られる懸濁液の液面の高さと同じであるため、反応容器内の反応液、又は、懸濁液の上下方向全体に磁石の磁力を作用させて、磁性担体粒子を効率的、かつ確実に集磁して回収することができる。
【００９２】
第１２の態様に係る磁性担体粒子の洗浄方法は、第７の態様〜第１１の態様の何れか１つの磁性担体粒子の洗浄方法において、工程（５）における磁石の高さが、工程（４）の反応液、又は、工程（４）の反応液に洗浄液を添加して得られる懸濁液の液面の高さと
同じである。
【００９３】
第１２の態様に係る磁性担体粒子の洗浄方法では、工程（５）における磁石の高さが、工程（４）の反応液、又は、工程（４）の反応液に洗浄液を添加して得られる懸濁液の液面の高さと同じであるため、反応容器内の反応液、又は、懸濁液の上下方向全体に磁石の磁力を作用させて、磁性担体粒子を効率的、かつ確実に集磁して回収することができる。
【００９４】
第１３の態様に係る磁性担体粒子の洗浄方法は、第７の態様〜第１２の態様の何れか１つの磁性担体粒子の洗浄方法において、磁石が、磁性担体粒子の集磁毎に、反応容器を挟んで向かい合った位置に交互に配置される。
【００９５】
第１３の態様に係る磁性担体粒子の洗浄方法では、磁石が、磁性担体粒子の集磁毎に、反応容器を挟んで向かい合った位置に交互に配置されているため、磁性担体粒子は、確実に分散された後に反応容器の一方側と他方側とに交互に集磁されるため、磁性担体粒子の洗浄効果が向上する。
【００９６】
第１４の態様に係る磁性担体粒子の洗浄方法は、磁性担体粒子を担体として用いる、検体中の測定対象成分の免疫学的測定方法における磁性担体粒子の洗浄方法であって、以下の工程を順次行うことを特徴とする。
工程（１）：反応容器に、検体と、検体中の測定対象成分に結合する第１抗体を含む試薬と、磁性担体粒子を含む試薬と、検体中の測定対象成分に結合する第２抗体を含む試薬を添加するか、または検体と、検体中の測定対象成分に結合する第１抗体が担持された磁性担体粒子を含む試薬と、測定対象成分に結合する第２抗体を含む試薬を添加し、反応容器中で抗原抗体反応を行い、前記第１抗体、前記測定対象成分、及び、前記第２抗体からなる第２の免疫複合体を担持する磁性担体粒子を含有する反応液を得る工程。
工程（２）：得られた反応液、又は、得られた反応液に洗浄液を添加して得られる懸濁液を収容する反応容器の側面に磁石を相対的に近接させ、前記第２の免疫複合体が担持された磁性担体粒子を反応容器の内面に集磁し、磁石により集磁された前記第２の免疫複合体が担持された磁性担体粒子とそれ以外の物質とを分離する工程。
工程（３）：分離された、前記第２の免疫複合体が担持された磁性担体粒子以外の物質が含まれた溶液を除去する工程。
工程（４）：反応容器に洗浄液を添加して反応容器の側面から磁石を離脱させるか、反応容器の側面から磁石を離脱させて反応容器に洗浄液を添加するか、または反応容器に洗浄液を添加しながら反応容器の側面から磁石を離脱させる工程。
工程（５）：反応容器の側面に、直ぐ前に磁性担体粒子を集磁させたときの磁石よりも高さが低い磁石を相対的に近接させ、前記第２の免疫複合体が担持された磁性担体粒子を反応容器の内面に集磁した後、反応容器から洗浄液を除去する工程。
【００９７】
第１４の態様に係る磁性担体粒子の洗浄方法では、工程（１）において、反応容器に、検体と、検体中の測定対象成分に結合する第１抗体を含む試薬と、磁性担体粒子を含む試薬と、検体中の測定対象成分に結合する第２抗体を含む試薬を添加するか、または検体と、検体中の測定対象成分に結合する第１抗体が担持された磁性担体粒子を含む試薬と、測定対象成分に結合する第２抗体を含む試薬を添加し、反応容器中で抗原抗体反応を行い、第１抗体、測定対象成分、及び、第２抗体からなる第２の免疫複合体を担持する磁性担体粒子を含有する反応液を得る。
工程（２）では、得られた反応液、又は、得られた反応液に洗浄液を添加して得られる懸濁液を収容する反応容器の側面に磁石を相対的に近接させ、第２の免疫複合体が担持された磁性担体粒子を反応容器の内面に集磁し、磁石により集磁された第２の免疫複合体が担持された磁性担体粒子とそれ以外の物質とを分離する。
工程（３）では、分離された、第２の免疫複合体が担持された磁性担体粒子以外の物質
が含まれた溶液を除去する。
工程（４）では、反応容器に洗浄液を添加して反応容器の側面から磁石を離脱させるか、反応容器の側面から磁石を離脱させて反応容器に洗浄液を添加するか、または反応容器に洗浄液を添加しながら反応容器の側面から磁石を離脱させる。
工程（５）では、反応容器の側面に、直ぐ前に磁性担体粒子を集磁させたときの磁石よりも高さが低い磁石を相対的に近接させ、第２の免疫複合体が担持された磁性担体粒子を反応容器の内面に集磁した後、反応容器から洗浄液を除去する。
これにより、高い洗浄効果が得られ、また、反応容器の内面に集められた、第２の免疫複合体が担持された磁性担体粒子の高さを低くできるので、その後に、試薬等を添加して第２の免疫複合体が担持された磁性担体粒子を懸濁させる際に、試薬等の量が少なくて済み、かつ、少ない試薬等であっても、第２の免疫複合体が担持された磁性担体粒子を確実に分散させることが可能となる。
【００９８】
第１５の態様に係る磁性担体粒子の洗浄方法は、第１４の態様に係る磁性担体粒子の洗浄方法において、工程（５）の後に、さらに、以下の工程を行うことを特徴とする。
工程（６）：工程（４）及び（５）を、１回または複数回順次繰り返す工程。
【００９９】
第１５の態様に係る磁性担体粒子の洗浄方法では、工程（５）の後に、工程（６）が行われる。
工程（６）では、工程（４）及び工程（５）を、１回または複数回順次繰り返す。
このように、洗浄液の添加、及び除去を繰り返すことで、洗浄効果が向上し、また、反応容器の内面に集められた、第２の免疫複合体が担持された磁性担体粒子の高さを低くできるので、その後に、試薬等を添加して第２の免疫複合体が担持された磁性担体粒子を懸濁させる際に、試薬等の量が少なくて済み、かつ、少ない試薬等であっても、第２の免疫複合体が担持された磁性担体粒子を確実に分散させることが可能となる。
【０１００】
第１６の態様に係る磁性担体粒子の洗浄方法は、磁性担体粒子を担体として用いる、検体中の測定対象成分の免疫学的測定方法における磁性担体粒子の洗浄方法であって、以下の工程を順次行うことを特徴とする。
工程（１）：反応容器に、検体と、検体中の測定対象成分に結合する第１抗体を含む試薬と、磁性担体粒子を含む試薬と、検体中の測定対象成分に結合する第２抗体を含む試薬を添加するか、または検体と、検体中の測定対象成分に結合する第１抗体が担持された磁性担体粒子を含む試薬と、測定対象成分に結合する第２抗体を含む試薬を添加し、反応容器中で抗原抗体反応を行い、前記第１抗体、前記測定対象成分、及び、前記第２抗体からなる第２の免疫複合体を担持する磁性担体粒子を含有する反応液を得る工程。
工程（２）：得られた反応液、又は、得られた反応液に洗浄液を添加して得られる懸濁液を収容する反応容器の側面に磁石を相対的に近接させ、前記第２の免疫複合体が担持された磁性担体粒子を反応容器の内面に集磁し、磁石により集磁された前記第２の免疫複合体が担持された磁性担体粒子とそれ以外の物質とを分離する工程。
工程（３）：分離された、前記第２の免疫複合体が担持された磁性担体粒子以外の物質が含まれた溶液を除去する工程。
工程（４）：反応容器に洗浄液を添加して反応容器の側面から磁石を離脱させるか、反応容器の側面から磁石を離脱させて反応容器に洗浄液を添加するか、または反応容器に洗浄液を添加しながら反応容器の側面から磁石を離脱させる工程。
工程（５）：反応容器の側面に、直ぐ前に磁性担体粒子を集磁させたときの磁石と、高さが同じか又は低い磁石を相対的に近接させ、前記第２の免疫複合体が担持された磁性担体粒子を反応容器の内面に集磁した後、反応容器から洗浄液を除去する工程。
工程（６）：工程（４）及び（５）を、１回または複数回順次繰り返す工程であって、最後の洗浄工程における磁石の高さが、工程（２）における磁石の高さよりも低い工程。
【０１０１】
第１６の態様に係る磁性担体粒子の洗浄方法では、工程（１）において、反応容器に、検体と、検体中の測定対象成分に結合する第１抗体を含む試薬と、磁性担体粒子を含む試薬と、検体中の測定対象成分に結合する第２抗体を含む試薬を添加するか、または検体と、検体中の測定対象成分に結合する第１抗体が担持された磁性担体粒子を含む試薬と、測定対象成分に結合する第２抗体を含む試薬を添加し、反応容器中で抗原抗体反応を行い、第１抗体、測定対象成分、及び、第２抗体からなる第２の免疫複合体を担持する磁性担体粒子を含有する反応液を得る。
工程（２）では、得られた反応液、又は、得られた反応液に洗浄液を添加して得られる懸濁液を収容する反応容器の側面に磁石を相対的に近接させ、第２の免疫複合体が担持された磁性担体粒子を反応容器の内面に集磁し、磁石により集磁された第２の免疫複合体が担持された磁性担体粒子とそれ以外の物質とを分離する。
工程（３）では、分離された、第２の免疫複合体が担持された磁性担体粒子以外の物質が含まれた溶液を除去する。
工程（４）では、反応容器に洗浄液を添加して反応容器の側面から磁石を離脱させるか、反応容器の側面から磁石を離脱させて反応容器に洗浄液を添加するか、または反応容器に洗浄液を添加しながら反応容器の側面から磁石を離脱させる。
工程（５）では、反応容器の側面に、直ぐ前に磁性担体粒子を集磁させたときの磁石と、高さが同じか又は低い磁石を相対的に近接させ、第２の免疫複合体が担持された磁性担体粒子を反応容器の内面に集磁した後、反応容器から洗浄液を除去する。
工程（６）は、工程（４）及び工程（５）を、１回または複数回順次繰り返す工程であって、最後の洗浄工程における磁石の高さが、工程（２）における磁石の高さよりも低い。
これにより、高い洗浄効果が得られ、また、反応容器の内面に集められた、第２の免疫複合体が担持された磁性担体粒子の高さを低くできるので、その後に、試薬等を添加して第２の免疫複合体が担持された磁性担体粒子を懸濁させる際に、試薬等の量が少なくて済み、かつ、少ない試薬等であっても、第２の免疫複合体が担持された磁性担体粒子を確実に分散させることが可能となる。
【０１０２】
第１７の態様に係る磁性担体粒子の洗浄方法は、第１５の態様または第１６の態様の磁性担体粒子の洗浄方法において、最後の洗浄工程における磁石の高さが、検出試薬を添加して撹拌したときの液面の上端と同じ高さに設定されている。
【０１０３】
第１７の態様に係る磁性担体粒子の洗浄方法では、最後の洗浄工程における磁石の高さが、検出試薬を、反応容器に添加して撹拌したときの液面の上端と同じ高さに設定されているため、集磁された磁性担体粒子の上端の位置が、検出試薬を、反応容器に添加して撹拌したときの液面の上端と同じ高さとなり、検出試薬を撹拌した際に、集磁された磁性担体粒子が反応容器の内面に残存することなく、検出試薬に確実に分散させることができる。
【０１０４】
第１８の態様に係る磁性担体粒子の洗浄方法は、第１４の態様〜第１７の態様の何れか１つの磁性担体粒子の洗浄方法において、工程（２）における磁石の高さが、工程（１）の反応液、又は、工程（１）の反応液に洗浄液を添加して得られる懸濁液の液面の高さと同じである。
【０１０５】
第１８の態様に係る磁性担体粒子の洗浄方法では、工程（２）における磁石の高さが、工程（１）の反応液、又は、工程（１）の反応液に洗浄液を添加して得られる懸濁液の液面の高さと同じであるため、反応容器内の反応液、又は、懸濁液の上下方向全体に磁石の磁力を作用させて、磁性担体粒子を効率的、かつ確実に集磁して回収することができる。
【０１０６】
第１９の態様に係る磁性担体粒子の洗浄方法は、第１４の態様〜第１８の態様の何れか
１つの磁性担体粒子の洗浄方法において、磁石が、磁性担体粒子の集磁毎に、反応容器を挟んで向かい合った位置に交互に配置される。
【０１０７】
第１９の態様に係る磁性担体粒子の洗浄方法では、磁石が、磁性担体粒子の集磁毎に、反応容器を挟んで向かい合った位置に交互に配置されているため、磁性担体粒子は、確実に分散された後に反応容器の一方側と他方側とに交互に集磁されるため、磁性担体粒子の洗浄効果が向上する。
【０１０８】
第２０の態様に係る磁性担体粒子の洗浄方法は、磁性担体粒子を担体として用いる、検体中の測定対象成分の免疫学的測定方法における磁性担体粒子の洗浄方法であって、以下の工程を順次行うことを特徴とする。
工程（１）反応容器に、検体と、競合物質に標識が結合してなる標識化競合物質を含む試薬と、前記測定対象成分と前記標識化競合物質とに結合する第１抗体を含む試薬と、磁性担体粒子を含む試薬を添加するか、または、検体と、競合物質に標識が結合してなる標識化競合物質を含む試薬と、前記測定対象成分と前記標識化競合物質とに結合する第１抗体が担持された磁性担体粒子を含む試薬を添加し、反応容器中で抗原抗体反応を行い、前記第１抗体と前記測定対象成分とからなる第３の免疫複合体、及び、前記第１抗体と前記標識化競合物質とからなる第４の免疫複合体が担持された磁性担体粒子を含有する反応液を得る工程。
工程（２）：得られた反応液、又は、得られた反応液に洗浄液を添加して得られる懸濁液を収容する反応容器の側面に磁石を相対的に近接させ、前記第３の免疫複合体、及び、前記第４の免疫複合体が担持された磁性担体粒子を反応容器の内面に集磁し、磁石により集磁された、前記第３の免疫複合体、及び、前記第４の免疫複合体が担持された磁性担体粒子とそれ以外の物質とを分離する工程。
工程（３）：分離された、前記第３の免疫複合体、及び、前記第４の免疫複合体が担持された磁性担体粒子以外の物質が含まれた溶液を除去する工程。
工程（４）：反応容器に洗浄液を添加して反応容器の側面から磁石を離脱させるか、反応容器の側面から磁石を離脱させて反応容器に洗浄液を添加するか、または反応容器に洗浄液を添加しながら反応容器の側面から磁石を離脱させる工程。
工程（５）：反応容器の側面に、直ぐ前に磁性担体粒子を集磁させたときの磁石よりも高さが低い磁石を相対的に近接させ、前記第３の免疫複合体、及び、前記第４の免疫複合体が担持された磁性担体粒子を反応容器の内面に集磁した後、反応容器から洗浄液を除去する工程。
【０１０９】
第２０の態様に係る磁性担体粒子の洗浄方法では、工程（１）において、反応容器に、検体と、競合物質に標識が結合してなる標識化競合物質を含む試薬と、測定対象成分と標識化競合物質とに結合する第１抗体を含む試薬と、磁性担体粒子を含む試薬を添加するか、または、検体と、競合物質に標識が結合してなる標識化競合物質を含む試薬と、測定対象成分と標識化競合物質とに結合する第１抗体が担持された磁性担体粒子を含む試薬を添加し、反応容器中で抗原抗体反応を行い、第１抗体と測定対象成分とからなる第３の免疫複合体、及び、第１抗体と標識化競合物質とからなる第４の免疫複合体が担持された磁性担体粒子を含有する反応液を得る。
工程（２）では、得られた反応液、又は、得られた反応液に洗浄液を添加して得られる懸濁液を収容する反応容器の側面に磁石を相対的に近接させ、第３の免疫複合体、及び、第４の免疫複合体が担持された磁性担体粒子を反応容器の内面に集磁し、磁石により集磁された、第３の免疫複合体、及び、第４の免疫複合体が担持された磁性担体粒子とそれ以外の物質とを分離する。
工程（３）では、分離された、第３の免疫複合体、及び、第４の免疫複合体が担持された磁性担体粒子以外の物質が含まれた溶液を除去する。
工程（４）では、反応容器に洗浄液を添加して反応容器の側面から磁石を離脱させるか
、反応容器の側面から磁石を離脱させて反応容器に洗浄液を添加するか、または反応容器に洗浄液を添加しながら反応容器の側面から磁石を離脱させる。
工程（５）では、反応容器の側面に、直ぐ前に磁性担体粒子を集磁させたときの磁石よりも高さが低い磁石を相対的に近接させ、第３の免疫複合体、及び、第４の免疫複合体が担持された磁性担体粒子を反応容器の内面に集磁した後、反応容器から洗浄液を除去する。
これにより、高い洗浄効果が得られ、また、反応容器の内面に集められた、第３の免疫複合体、及び、第４の免疫複合体が担持された磁性担体粒子の高さを低くできるので、その後に、試薬等を添加して第３の免疫複合体、及び、第４の免疫複合体が担持された磁性担体粒子を懸濁させる際に、試薬等の量が少なくて済み、かつ、少ない試薬等であっても、第３の免疫複合体、及び、第４の免疫複合体が担持された磁性担体粒子を確実に分散させることが可能となる。
【０１１０】
第２１の態様に係る磁性担体粒子の洗浄方法は、第２０の態様に係る磁性担体粒子の洗浄方法において、工程（５）の後に、さらに、以下の工程を行うことを特徴とする。
（６）工程：工程（４）及び（５）を、１回または複数回順次繰り返す工程。
【０１１１】
第２１の態様に係る磁性担体粒子の洗浄方法では、工程（５）の後に、工程（６）が行われる。
（６）工程では、工程（４）及び（５）を、１回または複数回順次繰り返す。
このように、洗浄液の添加、及び除去を繰り返すことで、洗浄効果が向上し、また、反応容器の内面に集められた、第３の免疫複合体、及び、第４の免疫複合体が担持された磁性担体粒子の高さを低くできるので、その後に、試薬等を添加して第３の免疫複合体、及び、第４の免疫複合体が担持された磁性担体粒子を懸濁させる際に、試薬等の量が少なくて済み、かつ、少ない試薬等であっても、第３の免疫複合体、及び、第４の免疫複合体が担持された磁性担体粒子を確実に分散させることが可能となる。
【０１１２】
５３
第２２の態様に係る磁性担体粒子の洗浄方法は、磁性担体粒子を担体として用いる、検体中の測定対象成分の免疫学的測定方法における磁性担体粒子の洗浄方法であって、以下の工程を順次行うことを特徴とする。
工程（１）：反応容器に、検体と、競合物質に標識が結合してなる標識化競合物質を含む試薬と、前記測定対象成分と前記標識化競合物質とに結合する第１抗体を含む試薬と、磁性担体粒子を含む試薬を添加するか、または、検体と、競合物質に標識が結合してなる標識化競合物質を含む試薬と、前記測定対象成分と前記標識化競合物質とに結合する第１抗体が担持された磁性担体粒子を含む試薬を添加し、反応容器中で抗原抗体反応を行い、前記第１抗体と前記測定対象成分とからなる第３の免疫複合体、及び、前記第１抗体と前記標識化競合物質とからなる第４の免疫複合体が担持された磁性担体粒子を含有する反応液を得る工程。
工程（２）：得られた反応液、又は、得られた反応液に洗浄液を添加して得られる懸濁液を収容する反応容器の側面に磁石を相対的に近接させ、前記第３の免疫複合体、及び、前記第４の免疫複合体が担持された磁性担体粒子を反応容器の内面に集磁し、磁石により集磁された、前記第３の免疫複合体、及び、前記第４の免疫複合体が担持された磁性担体粒子とそれ以外の物質とを分離する工程。
工程（３）：分離された、前記第３の免疫複合体、及び、前記第４の免疫複合体が担持された磁性担体粒子以外の物質が含まれた溶液を除去する工程。
工程（４）：反応容器に洗浄液を添加して反応容器の側面から磁石を離脱させるか、反応容器の側面から磁石を離脱させて反応容器に洗浄液を添加するか、または反応容器に洗浄液を添加しながら反応容器の側面から磁石を離脱させる工程。
工程（５）：反応容器の側面に、直ぐ前に磁性担体粒子を集磁させたときの磁石と、高さが同じか又は低い磁石を相対的に近接させ、前記第３の免疫複合体、及び、前記第４の
免疫複合体が担持された磁性担体粒子を反応容器の内面に集磁した後、反応容器から洗浄液を除去する工程。
工程（６）：工程（４）及び（５）を、１回または複数回順次繰り返す工程であって、最後の洗浄工程における磁石の高さが、工程（２）における磁石の高さよりも低い工程。
【０１１３】
第２２の態様の係る磁性担体粒子の洗浄方法では、工程（１）において、反応容器に、検体と、競合物質に標識が結合してなる標識化競合物質を含む試薬と、測定対象成分と標識化競合物質とに結合する第１抗体を含む試薬と、磁性担体粒子を含む試薬を添加するか、または、検体と、競合物質に標識が結合してなる標識化競合物質を含む試薬と、測定対象成分と標識化競合物質とに結合する第１抗体が担持された磁性担体粒子を含む試薬を添加し、反応容器中で抗原抗体反応を行い、第１抗体と測定対象成分とからなる第３の免疫複合体、及び、第１抗体と標識化競合物質とからなる第４の免疫複合体が担持された磁性担体粒子を含有する反応液を得る。
工程（２）では、得られた反応液、又は、得られた反応液に洗浄液を添加して得られる懸濁液を収容する反応容器の側面に磁石を相対的に近接させ、第３の免疫複合体、及び、第４の免疫複合体が担持された磁性担体粒子を反応容器の内面に集磁し、磁石により集磁された、第３の免疫複合体、及び、第４の免疫複合体が担持された磁性担体粒子とそれ以外の物質とを分離する。
工程（３）では、分離された、第３の免疫複合体、及び、第４の免疫複合体が担持された磁性担体粒子以外の物質が含まれた溶液を除去する。
工程（４）では、反応容器に洗浄液を添加して反応容器の側面から磁石を離脱させるか、反応容器の側面から磁石を離脱させて反応容器に洗浄液を添加するか、または反応容器に洗浄液を添加しながら反応容器の側面から磁石を離脱させる。
工程（５）では、反応容器の側面に、直ぐ前に磁性担体粒子を集磁させたときの磁石と、高さが同じか又は低い磁石を相対的に近接させ、第３の免疫複合体、及び、第４の免疫複合体が担持された磁性担体粒子を反応容器の内面に集磁した後、反応容器から洗浄液を除去する。
工程（６）は、工程（４）及び工程（５）を、１回または複数回順次繰り返す工程であって、最後の洗浄工程における磁石の高さが、工程（２）における磁石の高さよりも低い。
これにより、高い洗浄効果が得られ、また、反応容器の内面に集められた、第３の免疫複合体、及び、第４の免疫複合体が担持された磁性担体粒子の高さを低くできるので、その後に、試薬等を添加して第３の免疫複合体、及び、第４の免疫複合体が担持された磁性担体粒子を懸濁させる際に、試薬等の量が少なくて済み、かつ、少ない試薬等であっても、第３の免疫複合体、及び、第４の免疫複合体が担持された磁性担体粒子を確実に分散させることが可能となる。
【０１１４】
第２３の態様に係る磁性担体粒子の洗浄方法は、第２１の態様または第２２の態様に係る磁性担体粒子の洗浄方法において、最後の洗浄工程における磁石の高さが、検出試薬を、工程（６）の後の反応容器に添加して撹拌したときの液面の上端と同じ高さに設定されている。
【０１１５】
第２３の態様に係る磁性担体粒子の洗浄方法では、最後の洗浄工程における磁石の高さが、検出試薬を、工程（６）の後の反応容器に添加して撹拌したときの液面の上端と同じ高さに設定されているため、集磁された磁性担体粒子の上端の位置が、検出試薬を、工程（６）の後の反応容器に添加して撹拌したときの液面の上端と同じ高さとなり、検出試薬を撹拌した際に、集磁された磁性担体粒子が反応容器の内面に残存することなく、検出試薬に確実に分散させることができる。
【０１１６】
第２４の態様に係る磁性担体粒子の洗浄方法は、第２０の態様〜第２３の態様の何れか
１つの磁性担体粒子の洗浄方法において、工程（２）における磁石の高さが、工程（１）の反応液、又は、工程（１）の反応液に洗浄液を添加して得られる懸濁液の液面の高さと同じである。
【０１１７】
第２４の態様に係る磁性担体粒子の洗浄方法では、工程（２）における磁石の高さが、工程（１）の反応液、又は、工程（１）の反応液に洗浄液を添加して得られる懸濁液の液面の高さと同じであるため、反応容器内の反応液、又は、懸濁液の上下方向全体に磁石の磁力を作用させて、磁性担体粒子を効率的、かつ確実に集磁して回収することができる。
【０１１８】
第２５の態様に係る磁性担体粒子の洗浄方法は、第２０の態様〜第２４の態様の何れか１つの磁性担体粒子の洗浄方法において、磁石が、磁性担体粒子の集磁毎に、反応容器を挟んで向かい合った位置に交互に配置される。
【０１１９】
第２５の態様に係る磁性担体粒子の洗浄方法では、磁石が、磁性担体粒子の集磁毎に、反応容器を挟んで向かい合った位置に交互に配置されているため、磁性担体粒子は、確実に分散された後に反応容器の一方側と他方側とに交互に集磁されるため、磁性担体粒子の洗浄効果が向上する。
【０１２０】
第２６の態様に係る磁性担体粒子の洗浄方法は、磁性担体粒子を担体として用いる、検体中の測定対象成分の免疫学的測定方法における磁性担体粒子の洗浄方法であって、以下の工程を順次行うことを特徴とする。
工程（１）：反応容器に、検体と、検体中の測定対象成分と競合物質とに結合する第１抗体を含む試薬と、競合物質を含む試薬と、磁性担体粒子を含む試薬を添加するか、または、検体と、検体中の測定対象成分と競合物質とに結合する第１抗体を含む試薬と、前記競合物質が担持された磁性担体粒子を含む試薬を添加し、反応容器中で抗原抗体反応を行い、前記競合物質と前記第１抗体とからなる第５の免疫複合体が担持された磁性担体粒子を含有する反応液を得る工程。
工程（２）：得られた反応液、又は、得られた反応液に洗浄液を添加して得られる懸濁液を収容する反応容器の側面に磁石を相対的に近接させ、前記第５の免疫複合体が担持された磁性担体粒子を反応容器の内面に集磁し、磁石により集磁された前記第５の免疫複合体が担持された磁性担体粒子とそれ以外の物質とを分離する工程。
工程（３）：分離された、前記第５の免疫複合体が担持された磁性担体粒子以外の物質が含まれた溶液を除去する工程。
工程（４）：反応容器に洗浄液を添加して反応容器の側面から磁石を離脱させるか、反応容器の側面から磁石を離脱させて反応容器に洗浄液を添加するか、または反応容器に洗浄液を添加しながら反応容器の側面から磁石を離脱させる工程。
工程（５）：反応容器の側面に、直ぐ前に磁性担体粒子を集磁させたときの磁石よりも高さが低い磁石を相対的に近接させ、前記第５の免疫複合体が担持された磁性担体粒子を反応容器の内面に集磁した後、反応容器から洗浄液を除去する工程。
【０１２１】
第２６の態様に係る磁性担体粒子の洗浄方法では、工程（１）において、反応容器に、検体と、検体中の測定対象成分と競合物質とに結合する第１抗体を含む試薬と、競合物質を含む試薬と、磁性担体粒子を含む試薬を添加するか、または、検体と、検体中の測定対象成分と競合物質とに結合する第１抗体を含む試薬と、競合物質が担持された磁性担体粒子を含む試薬を添加し、反応容器中で抗原抗体反応を行い、競合物質と第１抗体とからなる第５の免疫複合体が担持された磁性担体粒子を含有する反応液を得る。
工程（２）では、得られた反応液、又は、得られた反応液に洗浄液を添加して得られる懸濁液を収容する反応容器の側面に磁石を相対的に近接させ、第５の免疫複合体が担持された磁性担体粒子を反応容器の内面に集磁し、磁石により集磁された第５の免疫複合体が担持された磁性担体粒子とそれ以外の物質とを分離する。
工程（３）では、分離された、第５の免疫複合体が担持された磁性担体粒子以外の物質が含まれた溶液を除去する。
工程（４）では、反応容器に洗浄液を添加して反応容器の側面から磁石を離脱させるか、反応容器の側面から磁石を離脱させて反応容器に洗浄液を添加するか、または反応容器に洗浄液を添加しながら反応容器の側面から磁石を離脱させる。
工程（５）では、反応容器の側面に、直ぐ前に磁性担体粒子を集磁させたときの磁石よりも高さが低い磁石を相対的に近接させ、第５の免疫複合体が担持された磁性担体粒子を反応容器の内面に集磁した後、反応容器から洗浄液を除去する。
これにより、高い洗浄効果が得られ、また、反応容器の内面に集められた、第５の免疫複合体が担持された磁性担体粒子の高さを低くできる。さらに、反応容器の内面に集められた、第５の免疫複合体が担持された磁性担体粒子の高さを低くできるので、その後に、試薬等を添加して第５の免疫複合体が担持された磁性担体粒子を懸濁させる際に、試薬等の量が少なくて済み、かつ、少ない試薬等であっても、第５の免疫複合体が担持された磁性担体粒子を確実に分散させることが可能となる。
【０１２２】
第２７の態様に係る磁性担体粒子の洗浄方法は、第２６の態様に係る磁性担体粒子の洗浄方法において、工程（５）の後に、さらに、以下の工程を行うことを特徴とする。
工程（６）：工程（４）及び（５）を、１回または複数回順次繰り返す工程。
【０１２３】
第２７の態様に係る磁性担体粒子の洗浄方法では、工程（５）の後に、工程（６）が行われる。
工程（６）では、工程（４）及び（５）を、１回または複数回順次繰り返す。
このように、洗浄液の添加、及び除去を繰り返すことで、洗浄効果が向上し、また、反応容器の内面に集められた、第５の免疫複合体が担持された磁性担体粒子の高さを低くできるので、その後に、試薬等を添加して第５の免疫複合体が担持された磁性担体粒子を懸濁させる際に、試薬等の量が少なくて済み、かつ、少ない試薬等であっても、第５の免疫複合体が担持された磁性担体粒子を確実に分散させることが可能となる。
【０１２４】
第２８の態様に係る磁性担体粒子の洗浄方法は、磁性担体粒子を担体として用いる、検体中の測定対象成分の免疫学的測定方法における磁性担体粒子の洗浄方法であって、以下の工程を順次行うことを特徴とする。
工程（１）：反応容器に、検体と、検体中の測定対象成分と競合物質とに結合する第１抗体を含む試薬と、競合物質を含む試薬と、磁性担体粒子を含む試薬を添加するか、または、検体と、検体中の測定対象成分と前記競合物質とに結合する第１抗体を含む試薬と、前記競合物質が担持された磁性担体粒子を含む試薬を添加し、反応容器中で抗原抗体反応を行い、前記競合物質と前記第１抗体とからなる第５の免疫複合体が担持された磁性担体粒子を含有する反応液を得る工程。
工程（２）：得られた反応液、又は、得られた反応液に洗浄液を添加して得られる懸濁液を収容する反応容器の側面に磁石を相対的に近接させ、前記第５の免疫複合体が担持された磁性担体粒子を反応容器の内面に集磁し、磁石により集磁された前記第５の免疫複合体が担持された磁性担体粒子とそれ以外の物質とを分離する工程。
工程（３）：分離された、前記第５の免疫複合体が担持された磁性担体粒子以外の物質が含まれた溶液を除去する工程。
工程（４）：反応容器に洗浄液を添加して反応容器の側面から磁石を離脱させるか、反応容器の側面から磁石を離脱させて反応容器に洗浄液を添加するか、または反応容器に洗浄液を添加しながら反応容器の側面から磁石を離脱させる工程。
工程（５）：反応容器の側面に、直ぐ前に磁性担体粒子を集磁させたときの磁石と、高さが同じか又は低い磁石を相対的に近接させ、前記第５の免疫複合体が担持された磁性担体粒子を反応容器の内面に集磁した後、反応容器から洗浄液を除去する工程。
工程（６）：工程（４）及び（５）を、１回または複数回順次繰り返す工程であって、
最後の洗浄工程における磁石の高さが、工程（２）における磁石の高さよりも低い工程。
【０１２５】
第２８の態様に係る磁性担体粒子の洗浄方法では、工程（１）において、反応容器に、検体と、検体中の測定対象成分と競合物質とに結合する第１抗体を含む試薬と、競合物質を含む試薬と、磁性担体粒子を含む試薬を添加するか、または、検体と、検体中の測定対象成分と競合物質とに結合する第１抗体を含む試薬と、競合物質が担持された磁性担体粒子を含む試薬を添加し、反応容器中で抗原抗体反応を行い、競合物質と第１抗体とからなる第５の免疫複合体が担持された磁性担体粒子を含有する反応液を得る。
工程（２）では、得られた反応液、又は、得られた反応液に洗浄液を添加して得られる懸濁液を収容する反応容器の側面に磁石を相対的に近接させ、第５の免疫複合体が担持された磁性担体粒子を反応容器の内面に集磁し、磁石により集磁された第５の免疫複合体が担持された磁性担体粒子とそれ以外の物質とを分離する。
工程（３）では、分離された、第５の免疫複合体が担持された磁性担体粒子以外の物質が含まれた溶液を除去する。
工程（４）では、反応容器に洗浄液を添加して反応容器の側面から磁石を離脱させるか、反応容器の側面から磁石を離脱させて反応容器に洗浄液を添加するか、または反応容器に洗浄液を添加しながら反応容器の側面から磁石を離脱させる。
工程（５）では、反応容器の側面に、直ぐ前に磁性担体粒子を集磁させたときの磁石と、高さが同じか又は低い磁石を相対的に近接させ、第５の免疫複合体が担持された磁性担体粒子を反応容器の内面に集磁した後、反応容器から洗浄液を除去する。
工程（６）は、工程（４）及び（５）を、１回または複数回順次繰り返す工程であって、最後の洗浄工程における磁石の高さが、工程（２）における磁石の高さよりも低い。
これにより、高い洗浄効果が得られ、また、反応容器の内面に集められた、第５の免疫複合体が担持された磁性担体粒子の高さを低くできるので、その後に、試薬等を添加して第５の免疫複合体が担持された磁性担体粒子を懸濁させる際に、試薬等の量が少なくて済み、かつ、少ない試薬等であっても、第５の免疫複合体が担持された磁性担体粒子を確実に分散させることが可能となる。
【０１２６】
第２９の態様に係る磁性担体粒子の洗浄方法は、第２７の態様または第２８の態様の磁性担体粒子の洗浄方法において、最後の洗浄工程における磁石の高さが、検出試薬を、工程（６）の後の反応容器に添加して撹拌したときの液面の上端と同じ高さに設定されている。
【０１２７】
第２９の態様に係る磁性担体粒子の洗浄方法では、最後の洗浄工程における磁石の高さが、検出試薬を、工程（６）の後の反応容器に添加して撹拌したときの液面の上端と同じ高さに設定されているため、集磁された磁性担体粒子の上端の位置が、検出試薬を、工程（６）の後の反応容器に添加して撹拌したときの液面の上端と同じ高さとなり、検出試薬を撹拌した際に、集磁された磁性担体粒子が反応容器の内面に残存することなく、検出試薬に確実に分散させることができる。
【０１２８】
第３０の態様に係る磁性担体粒子の洗浄方法は、第２６の態様〜第２９の態様の何れか１つの磁性担体粒子の洗浄方法において、工程（２）における磁石の高さが、工程（１）の反応液、又は、工程（１）の反応液に洗浄液を添加して得られる懸濁液の液面の高さと同じである。
【０１２９】
第３０の態様に係る磁性担体粒子の洗浄方法では、工程（２）における磁石の高さが、工程（１）の反応液、又は、工程（１）の反応液に洗浄液を添加して得られる懸濁液の液面の高さと同じであるため、反応容器内の反応液、又は、懸濁液の上下方向全体に磁石の磁力を作用させて、磁性担体粒子を効率的、かつ確実に集磁して回収することができる。
【０１３０】
第３１の態様に係る磁性担体粒子の洗浄方法は、第２６の態様〜第３０の態様の何れか１つの磁性担体粒子の洗浄方法において、磁石が、磁性担体粒子の集磁毎に、反応容器を挟んで向かい合った位置に交互に配置される。
【０１３１】
第３１の態様に係る磁性担体粒子の洗浄方法では、磁石が、磁性担体粒子の集磁毎に、反応容器を挟んで向かい合った位置に交互に配置されているため、磁性担体粒子は、確実に分散された後に反応容器の一方側と他方側とに交互に集磁されるため、磁性担体粒子の洗浄効果が向上する。
【０１３２】
第３２の態様に係る検体中の測定対象成分の免疫学的測定方法は、第１〜６の態様のいずれか１つの磁性担体粒子の洗浄方法で洗浄された磁性担体粒子と、第２抗体を含有する試薬とを反応させて、第１抗体、測定対象成分、及び、第２抗体からなる第２の免疫複合体を磁性担体粒子に生成させ、生成した前記第２の免疫複合体の量を測定することを特徴とする。
【０１３３】
第３２の態様に係る検体中の測定対象成分の免疫学的測定方法によれば、第１〜６の態様のいずれか１つの磁性担体粒子の洗浄方法で洗浄された磁性担体粒子と、第２抗体を含有する試薬とを反応させて、第１抗体、測定対象成分、及び、第２抗体からなる第２の免疫複合体を磁性担体粒子に生成させ、生成した第２の免疫複合体の量を測定する。これにより、検体中の測定対象成分を正確に測定することができる。
【０１３４】
第３３の態様に係る検体中の測定対象成分の免疫学的測定方法は、第７〜３１の態様のいずれか１つの磁性担体粒子の洗浄方法で洗浄された磁性担体粒子と、検出試薬とを反応させて、前記磁性担体粒子上に生成した免疫複合体の量を測定することを特徴とする。
【０１３５】
第３３の態様に係る検体中の測定対象成分の免疫学的測定方法によれば、第７〜３１態様のいずれか１つの磁性担体粒子の洗浄方法で洗浄された磁性担体粒子と、検出試薬とを反応させて、磁性担体粒子上に生成した免疫複合体の量を測定する。これにより、検体中の測定対象成分を正確に測定することができる。
【発明の効果】
【０１５４】
第１の態様〜第３１の態様に係る磁性担体粒子の洗浄方法によれば、検体中の測定対象成分の測定を正確に行うことが可能となる。
なお、第１の態様〜第３１の態様に係る磁性担体粒子の洗浄方法によれば、磁性担体粒子の回収率及び／又は磁性担体粒子の分散性を高めることができる。
第３２の態様、及び第３３の態様に係る免疫学的測定方法によれば、検体中の測定対象成分の測定を正確に行うことが可能となる。
【図面の簡単な説明】
【０１５５】
【図１】免疫測定装置の基本構成を示す平面図である。
【図２Ａ】本願発明の実施形態に係るセルを示す斜視図である。
【図２Ｂ】本願発明の実施形態に係るセルを示す斜視図である。
【図２Ｃ】セルの下部を示す断面図である。
【図３】第１Ｂ／Ｆユニットを示す縦断面図である。
【図４】第１Ｂ／Ｆユニットを示す平面図である。
【図５】図４に示す第１Ｂ／Ｆユニットの５−５線断面図である。
【図６Ａ】磁性担体粒子含有試薬、第１抗体含有試薬、及び検体を入れる状態を示すセルの断面図である。
【図６Ｂ】更に洗浄液を入れる状態を示すセルの断面図である。
【図７Ａ】第１Ｂ／Ｆユニットにおける洗浄工程を示すセルの断面図である。
【図７Ｂ】第１Ｂ／Ｆユニットにおける洗浄工程を示すセルの断面図である。
【図７Ｃ】第１Ｂ／Ｆユニットにおける洗浄工程を示すセルの断面図である。
【図７Ｄ】第１Ｂ／Ｆユニットにおける洗浄工程を示すセルの断面図である。
【図７Ｅ】第１Ｂ／Ｆユニットにおける洗浄工程を示すセルの断面図である。
【図７Ｆ】第１Ｂ／Ｆユニットにおける洗浄工程を示すセルの断面図である。
【図７Ｇ】第１Ｂ／Ｆユニットにおける洗浄工程を示すセルの断面図である。
【図７Ｈ】第１Ｂ／Ｆユニットにおける洗浄工程を示すセルの断面図である。
【図７Ｉ】第１Ｂ／Ｆユニットにおける洗浄工程を示すセルの断面図である。
【図７Ｊ】第１Ｂ／Ｆユニットにおける洗浄工程を示すセルの断面図である。
【図７Ｋ】第１Ｂ／Ｆユニットにおける洗浄工程を示すセルの断面図である。
【図７Ｌ】第１Ｂ／Ｆユニットにおける洗浄工程を示すセルの断面図である。
【図７Ｍ】第１Ｂ／Ｆユニットにおける洗浄工程を示すセルの断面図である。
【図７Ｎ】第１Ｂ／Ｆユニットにおける洗浄工程を示すセルの断面図である。
【図７Ｏ】第１Ｂ／Ｆユニットにおける洗浄工程を示すセルの断面図である。
【図８Ａ】アルカリホスファターゼ標識第２抗体含有試薬をセルに入れる工程を示すセルの断面図である。
【図８Ｂ】アルカリホスファターゼ標識第２抗体含有試薬をセルに入れる工程を示すセルの断面図である。
【図８Ｃ】アルカリホスファターゼ標識第２抗体含有試薬をセルに入れる工程を示すセルの断面図である。
【図９Ａ】第２Ｂ／Ｆユニットにおける洗浄工程を示すセルの断面図である。
【図９Ｂ】第２Ｂ／Ｆユニットにおける洗浄工程を示すセルの断面図である。
【図９Ｃ】第２Ｂ／Ｆユニットにおける洗浄工程を示すセルの断面図である。
【図９Ｄ】第２Ｂ／Ｆユニットにおける洗浄工程を示すセルの断面図である。
【図９Ｅ】第２Ｂ／Ｆユニットにおける洗浄工程を示すセルの断面図である。
【図９Ｆ】第２Ｂ／Ｆユニットにおける洗浄工程を示すセルの断面図である。
【図９Ｇ】第２Ｂ／Ｆユニットにおける洗浄工程を示すセルの断面図である。
【発明を実施するための形態】
【０１５６】
［第１の実施形態（２ステップサンドイッチ法〜１次反応後の洗浄）］
＜免疫測定装置の全体構成＞
図面を参照しながら、第１の実施形態に係る免疫測定装置２００について説明する。
【０１５７】
免疫測定方法には、例えば、サンドイッチ免疫測定法、及び競合法等があり、サンドイッチ免疫測定法には、いわゆる２ステップサンドイッチ法、及び１ステップサンドイッチ法がある。
【０１５８】
２ステップサンドイッチ法とは、セル(容器）に、検体と、検体中の測定対象成分に結合する第１抗体を含む試薬と、磁性担体粒子を含む試薬を添加するか、または検体と、検体中の測定対象成分に結合する第１抗体が担持された磁性担体粒子を含む試薬を添加し、第１抗体、及び測定対象成分からなる免疫複合体（本発明の第１の免疫複合体）が担持された磁性担体粒子を含有する反応液を得た後、本発明の第１免疫複合体が担持された磁性担持体粒子以外の物質が含まれた溶液を除去し、次に、測定対象成分に結合する第２抗体を含む試薬を添加し、磁性担体粒子上に第１抗体、測定対象成分、及び、第２抗体からなる免疫複合体（本発明の第２の免疫複合体）が担持された磁性担体粒子を含有する反応液を得る工程を有する免疫測定方法である。
【０１５９】
１ステップサンドイッチ法とは、セル(容器）に、検体と、検体中の測定対象成分に結合する第１抗体を含む試薬と、磁性担体粒子を含む試薬と、検体中の測定対象成分に結合する第２抗体を含む試薬を添加するか、または検体と、検体中の測定対象成分に結合する第１抗体が担持された磁性担体粒子を含む試薬と、測定対象成分に結合する第２抗体を含む試薬を添加し、第１抗体、測定対象成分、及び、第２抗体からなる免疫複合体（本発明の第２の免疫複合体）を担持する磁性担体粒子を含有する反応液を得る工程を有する免疫測定方法である。
【０１６０】
また、競合法には、例えば、セル(容器）に、測定対象成分を含む検体と、競合物質に標識が結合してなる標識化競合物質を含む試薬と、測定対象成分と標識化競合物質とに結合する第１抗体を含む試薬と、磁性担体粒子を含む試薬を添加するか、または、検体と、競合物質に標識が結合してなる標識化競合物質を含む試薬と、測定対象成分と標識化競合物質とに結合する第１抗体が担持された磁性担体粒子を含む試薬を添加し、セル中で抗原抗体反応を行い、第１抗体と測定対象成分とからなる免疫複合体（本発明の第３の免疫複合体）、及び、第１抗体と標識化競合物質とからなる免疫複合体（本発明の第４の免疫複合体）が担持された磁性担体粒子を含有する反応液を得る工程を有する競合法（以後、本明細書において競合法１と呼ぶ）、及び、セルに、検体と、検体中の測定対象成分と競合物質とに結合する第１抗体を含む試薬と、競合物質を含む試薬と、磁性担体粒子を含む試薬を添加するか、または、検体と、検体中の測定対象成分と競合物質とに結合する第１抗体を含む試薬と、競合物質が担持された磁性担体粒子を含む試薬を添加し、セル中で抗原抗体反応を行い、競合物質と第１抗体とからなる免疫複合体（本発明の第５の免疫複合体）が担持された磁性担体粒子を含有する反応液を得る工程を有する競合法（以後、本明細書において競合法２と呼ぶ）がある。
【０１６１】
本発明における検体は、免疫学的測定法により測定が可能である検体であれば特に制限はなく、例えば全血（血液）、血球、血清、血漿、髄液、尿、糞便、組織、培養細胞等が挙げられる。
本発明における測定対象成分は、免疫学的測定法により測定が可能である測定対象成分であれば特に制限はなく、例えば、ＩｇＧ、ＩｇＭ、ＩｇＡ、ＩｇＥ、アポ蛋白ＡＩ、アポ蛋白ＡＩＩ、アポ蛋白Ｂ、アポ蛋白Ｅ、リウマチ因子、Ｄ−ダイマー、酸化ＬＤＬ、糖化ＬＤＬ、グリコアルブミン、トリヨードサイロニン（Ｔ３）、総サイロキシン（Ｔ４）、薬剤（抗テンカン剤等）、Ｃ−反応性蛋白（ＣＲＰ）、サイトカイン類、可溶性インターロイキン−２受容体（ｓＩＬ−２Ｒ）、α−フェトプロテイン（ＡＦＰ）、癌胎児性抗原（ＣＥＡ）、ＣＡ１９−９（ｃａｒｂｏｈｙｄｒａｔｅ  ａｎｔｉｇｅｎ  １９−９）、ＣＡ１５−３（ｃａｒｂｏｈｙｄｒａｔｅ  ａｎｔｉｇｅｎ  １５−３）、ＣＡ−１２５（ｃａｒｂｏｈｙｄｒａｔｅ  ａｎｔｉｇｅｎ  １２５）、ＰＩＶＫＡ−ＩＩ（Ｐｒｏｔｅｉｎ  ｉｎｄｕｃｅｄ  ｂｙ  ｖｉｔａｍｉｎ  Ｋ  ａｂｓｅｎｃｅ−ＩＩ）、副甲状腺ホルモン（ＰＴＨ）、ヒト絨毛性ゴナドトロピン（ｈＣＧ）、甲状腺刺激ホルモン（ＴＳＨ）、インスリン、Ｃ−ペプタイド、エストロゲン、抗グルタミン酸脱炭酸酵素（ＧＡＤ）抗体、ペプシノーゲン、Ｂ型肝炎ウイルス（ＨＢＶ）抗原、抗ＨＢＶ抗体、Ｃ型肝炎ウイルス（ＨＣＶ）抗原、抗ＨＣＶ抗体、成人Ｔ細胞性白血病ウイルス１型（ＨＴＬＶ−Ｉ）抗原、抗ＨＴＬＶ−Ｉ抗体、ヒト免疫不全ウイルス（ＨＩＶ）抗体、インフルエンザウイルス抗原、抗インフルエンザウイルス抗体、抗結核菌抗体、結核菌抗原（ＴＢＧＬ）マイコプラズマ抗体、ヘモグロビンＡ１ｃ、心房性ナトリウム利尿ペプチド（ＡＮＰ）、脳性ナトリウム利尿ペプチド（ＢＮＰ）、トロポニンＴ、トロポニンＩ、クレアチニンキナーゼーＭＢ（ＣＫ−ＭＢ）、ミオグロビン、Ｈ−ＦＡＢＰ（ヒト心臓由来脂肪酸結合蛋白）、カビ毒類［デオキシニバレノール（ＤＯＮ）、ニバレノール（ＮＩＶ）、Ｔ−２トキシン（Ｔ２）等］、内分泌撹乱物質類［ビスフェノールＡ、ノニルフェノール、フタル酸ジブチル、ポリ塩素化ビフェニル（ＰＣＢ）類、ダイオキシン類、ｐ，ｐ’−ジクロロジフェニルトリクロロエタン、トリブチルスズ等］、大腸菌等の菌類、食物アレルギー物質（卵、乳、小麦、そば、落花生等）、アレルギー物質（コナヒョウダニやトヤヒョウダニ等のダニ類等）、抗アレルギー物質抗体等が挙げられる。
【０１６２】
本発明における競合物質は、競合法に使用され、「測定対象成分に結合する抗体」に結合できる物質であって、かつその結合が、該測定対象成分と競合的であるような物質を意味し、測定対象成分そのものも含まれる。
【０１６３】
本発明における標識化抗体及び標識化競合物質に使用される標識は、免疫学的測定法に用いられる標識であれば特に制限はなく、例えば酵素、蛍光物質、発光物質、放射性同位元素等が挙げられる。酵素としては、例えばアルカリホスファターゼ、ペルオキシダーゼ、ガラクトシダーゼ、グルクロニダーゼ、ルシフェラーゼ等が挙げられる。蛍光物質としては、例えば、ＦＩＴＣ（フルオレッセイン  イソチオシアナート）、ＲＩＴＣ（ローダミンＢ−イソチオシアナート）等が挙げられる。発光物質としては、例えばアクリジニウムおよびその誘導体、ルテニウム錯体化合物、ロフィン等が挙げられる。放射性同位元素としては、例えば、3H、14C、35S、32P、125I、131I等が挙げられる。
本発明における標識化抗体及び標識化競合物質は、それぞれ、標識と抗体、標識と競合物質を、リンカーを用いて共有結合させる方法等、公知の方法により調製することができる。
【０１６４】
本発明における、磁性担体粒子は、磁石によって集磁される磁性担体粒子であれば特に制限はなく、例えば粒子の内部に磁性体を含有し、外層が有機ポリマーなどから成るコア・シェル構造の磁性担体粒子、外層を含まず磁性体が有機ポリマーに不均一に分散した構造の磁性担体粒子、磁性体のみから成るクラスター状の磁性担体粒子等が挙げられる。
磁性担体粒子中に含まれる磁性体は、残留磁化が少なく、超常磁性の磁性体微粒子が好ましく、例えば四三酸化鉄（Ｆｅ３Ｏ４）、γ−重三二酸化鉄（γ−Ｆｅ２Ｏ３）等の各種フェライト、鉄、マンガン、コバルト、クロムなどの金属またはこれら金属の合金等が用いられる。
磁性担体粒子の形状としては、例えば球状、針状等が挙げられ、球状が好ましい。磁性担体粒子の粒径は、例えば０．１〜５μｍ等が挙げられ、好ましくは０．５〜３μｍである。
【０１６５】
本発明における、磁石は、磁性担体粒子を集磁できる磁石であれば特に制限はなく、例えばネオジウム磁石等の希土類の磁石、電磁石等が挙げられる。
【０１６６】
本発明における、磁石の高さとは、反応容器の空洞内の底面に対して垂直方向の長さであって、反応容器の空洞内の底面から、当該反応容器に近接させた磁石の上端までの長さを意味する。磁石の長さとは、磁石の上端から下端までの長さであるため、磁石の長さと、磁石の高さとが同じ場合もあるが、磁石の下端が、反応容器の空洞内の底面よりも下に位置する場合は、磁石の長さは、磁石の高さよりも長くなる。本発明において、反応容器内の磁性担体粒子を効率的に集磁できる限りにおいては、磁石の長さと磁石の高さとは同じであっても、異なっていてもよいが、磁石の長さが磁石の高さと同じか、または、磁石の長さが磁石の高さより長い方が好ましい。
【０１６７】
本発明における、反応容器は、反応容器の側面に磁石を相対的に近接させた際、反応容器の内面に磁性担体粒子を集磁でき、免疫学的測定を行うことができる反応容器であれば特に制限はなく、例えば、後述の反応容器等が挙げられる。
【０１６８】
本発明における、磁性担体粒子を含む試薬、第１抗体を含む試薬、第１抗体が担持された磁性担体粒子を含む試薬、第２抗体を含む試薬、競合物質を含む試薬、及び、競合物質が担持された磁性担体粒子を含む試薬には、金属イオン、塩類、糖類、防腐剤、蛋白質、蛋白質安定化剤等を共存させることができる。金属イオンとしては、例えばマグネシウムイオン、マンガンイオン、亜鉛イオン等が挙げられる。塩類としては、例えば塩化ナトリウム、塩化カリウム等が挙げられる。糖類としては、例えばグルコース、マンノース、スクロース、ラクトース、トレハロース、マンニトール、ソルビトール等が挙げられる。防腐剤としては、例えばアジ化ナトリウム、抗生物質（ストレプトマイシン、ペニシリン、ゲンタマイシン等）、バイオエース、プロクリン３００、プロキセル（Proxel）ＧＸＬ等が挙げられる。蛋白質としては、例えばウシ血清アルブミン（ＢＳＡ）、ウシ胎児血清（ＦＢＳ）、カゼイン、ブロックエース（ＤＳファーマバイオメディカル社製）等が挙げられる。蛋白質安定化剤としては、例えばペルオキシダーゼ安定化緩衝液［Peroxidase Stabilizing Buffer、ダコサイトメーション（DakoCytomation）社製］等が挙げられる。
【０１６９】
第１の実施形態では、図１に示す免疫測定装置２００を用いて、２ステップサンドイッチ法で測定を行う例を説明する。
図１に示すように、免疫測定装置２００は主として、セル供給ユニット１４、試薬保管ユニット１２、反応テーブル１８、検体テーブル２０、第１Ｂ／Ｆユニット２２Ａ、第２Ｂ／Ｆユニット２２Ｂ、及び検出ユニット２４等を含んで構成されている。なお、以下の説明において、便宜上、検体テーブル２０側を装置手前側として説明する。
【０１７０】
免疫測定装置２００の左奥に配置されたセル供給ユニット１４は、後述する空のセル１０（反応容器）を所定の位置へ搬送し、一列に整列させるユニットであり、セルタンク３０、レール３２、及びセル送り機構３４を含んで構成されている。セル供給ユニット１４の手前には、ターンテーブル３６を備えた攪拌装置１６を収容した試薬保管ユニット１２が配置されており、ターンテーブル３６にセットされたカセットには、免疫測定に必要な試薬が収容された複数の試薬容器２６が保持されている（図示せず）。また、試薬保管ユニット１２は、冷却手段（不図示）によって一定の温度に冷却されている。
【０１７１】
＜セル＞
本実施形態で用いるセル１０（キュベットともいう）は、一端部が開口したプラスチック製の有底円筒体であり、開口部に鍔が形成された汎用の反応容器である。図２Ａ〜Ｃに示すように、セル１０は略円筒形とされており、一端（開口側）には各セルハンド（図２Ａ〜Ｃでは図示せず）で把持し搬送するための鍔１０Ａが設けられ、その下には各テーブルの凹部や孔にセル１０を挿入した際に抜け落ちず、保持されるためのフランジ１０Ｂが設けられている。セル１０内は空洞１０Ｃとされており、内部に試薬、検体、洗浄液等を注入し内部で貯留、攪拌可能とされている。
【０１７２】
セル１０の底部には下方向に向けて拡径するように開口する係合穴１０Ｅが設けられており、係合穴１０Ｅは空洞１０Ｃとは連通せず、所謂盲管形状とされている。セル１０は、係合穴１０Ｅの近傍がリブ１０Ｄで補強されている。係合穴１０Ｅは図２Ｃに示すように擂鉢状の傾斜面１０Ｆを備えており、後述する攪拌機構６６の回転するピン(図示せず）と係合することで、セル１０は反応テーブル１８上において回転、攪拌され、内部の試薬、検体が混合される。
【０１７３】
図１に示すように、試薬保管ユニット１２の右側には、反応テーブル１８が配置されている。反応テーブル１８は、免疫測定装置２００の中央部よりやや左側に位置しており、ヒータ（不図示）を備えている。反応テーブル１８の外周部には、セル１０を保持する凹部３８が反応テーブル１８の全周に亘って形成されている。凹部３８の径は後述するセルハンド７２などの搬送位置精度に合わせて、セル１０の径より大きい必要があり、かつフランジ１０Ｂの径よりも小さいので、セル１０はフランジ１０Ｂで凹部３８に保持される。
反応容器は、反応テーブル１８の円孔の孔縁に、反応容器から張出した鍔部（フランジ１０Ｂ）で吊下されて保持される。
【０１７４】
本実施形態では、一例として、反応テーブル１８の周方向に等間隔で６０個の凹部３８が形成されている。また、ヒータ（不図示）により、凹部３８に保持されたセル１０を温め、セル１０内の試薬を活性化させることができる。
【０１７５】
＜攪拌機構＞
また、反応テーブル１８には攪拌機構６６が設けられている。本実施形態においては反応テーブル１８に２個の攪拌機構６６が設けられているが、３個以上であっても、また場合によっては１個であってもよい。
【０１７６】
攪拌機構６６は、攪拌モータを備えている。攪拌モータの回転軸には、上下方向に延びるピン（図示せず）が偏心して取り付けられている。攪拌機構６６の直上に位置する反応テーブル１８の凹部３８に挿入された、セル１０の係合穴１０Ｅにピンが係合するようになっている。ピンは攪拌モータの回転軸と偏心して取り付けられているため、ピンは回転軸を中心とした円軌道上を回転移動し、ピンの先端が係合したセル１０の係合穴１０Ｅもまたピンによって円軌道を描くように移動する。このとき、セル１０は凹部３８に挿入されており、凹部３８の径は前述のようにセル１０の径よりも大きいので、係合穴１０Ｅが円軌道を描くように移動することで、セル１０は凹部３８より下では円軌道を描くように略円錐振り子の軌道で回転する。これによりセル１０内部の後述する検体、洗浄液、磁性担体粒子含有試薬等が、攪拌される。
【０１７７】
反応テーブル１８の手前には、検体テーブル２０が配置されており、検体を収容した複数の試験管４０が保持されている。また、反応テーブル１８の右側には、後述するセルハンド７２を挟んで装置奥側に第１Ｂ／Ｆユニット２２Ａ、装置手前側に第２Ｂ／Ｆユニット２２Ｂが配置されている。第１Ｂ／Ｆユニット２２Ａ、第２Ｂ／Ｆユニット２２Ｂは、各々セル１０を回転搬送するための後述するターンテーブル８４と、ターンテーブル８４にセットされたセル１０内の試薬のＢ／Ｆ分離を行うＢ／Ｆノズルユニット４４等を含んで構成されている。
【０１７８】
＜第１Ｂ／Ｆユニット＞
図３に示すように、第１Ｂ／Ｆユニット２２Ａは、基板７３の上に複数の支柱７５が立設されており、支柱７５の上に肉厚の板材からなるベース板７８が水平に固定されている。ベース板７８の中央部には、ベアリング８０で支持された軸８２が回転自在に設けられている。軸８２の上端には円板状のターンテーブル８４が取り付けられており、下端には大プーリー８６が取り付けられている。
【０１７９】
図３〜図５に示すように、ターンテーブル８４の外周部には、セル１０を挿入して保持するための孔８８が周方向に沿って等間隔で複数形成されている。孔８８の径は、セル１０の径より若干大きく、かつフランジ１０Ｂの径よりも小さいので、セル１０はフランジ１０Ｂがターンテーブル８４の上面に搭載された状態で孔８８に保持される。
【０１８０】
図３に示すように、ベース板７８の下面には、支持金具９０を介してモータ９２が取り付けられている。モータ９２の回転軸９２Ａには小プーリー９４が取り付けられており、大プーリー８６と小プーリー９４にベルト９６が巻き掛けられている。このため、モータ９２の回転軸９２Ａが回転することでターンテーブル８４が回転される。
【０１８１】
図３〜図５に示すように、ベース板７８の上面には、ターンテーブル８４の孔８８に支持されたセル１０が内部を通過する円環状の環状溝９８が形成されている。また、ベース板７８の上面には、環状溝９８の径方向内側に、周方向に沿って複数の凹部１００Ａ〜１００Ｆが等間隔で形成されており、環状溝９８の径方向外側に、周方向に沿って複数の凹部１０２Ａ〜１０２Ｆが凹部１００Ａ〜１００Ｆと対向して等間隔で形成されている。これら凹部１００Ａ〜１００Ｆの周方向のピッチ、及び凹部１０２Ａ〜１０２Ｆの周方向のピッチは、ターンテーブル８４の孔８８の周方向のピッチと同じに設定されている。
【０１８２】
凹部１００Ａ〜１００Ｆ、及び凹部１０２Ａ〜１０２Ｆは、全て同じ形状、同じ寸法に形成されている。また、凹部１００Ａ〜１００Ｆ、及び凹部１０２Ａ〜１０２Ｆの各々の底部は、ターンテーブル８４の孔８８に挿入され支持されたセル１０の底部（空洞１０Ｃの底部）と同じ高さとなるように設定されている（一例として、図５参照）。
【０１８３】
図４に示すように、凹部１００Ａ、及び凹部１０２Ａには、底部の上に高さ１２ｍｍの第１の磁石１０４Ａが固定されている。凹部１０２Ｂには、底部の上に高さ１０ｍｍの第２の磁石１０４Ｂが固定されている。凹部１００Ｃには、底部の上に高さ８ｍｍの第３の磁石１０４Ｃが固定されている。凹部１０２Ｄには、底部の上に高さ７ｍｍの第４の磁石１０４Ｄが固定されている。凹部１００Ｅには、底部の上に高さ６ｍｍの第５の磁石１０４Ｅが固定されている。凹部１０２Ｆには、底部の上に高さ５ｍｍの第６の磁石１０４Ｆが固定されている。このため、各磁石の高さは、矢印ＣＷ方向に沿って徐々に低くなっている。これら第１の磁石１０４Ａ〜第６の磁石１０４Ｆは、ネオジウム磁石等の磁力の強い希土類の磁石を用いることが好ましい。
【０１８４】
図１に示すように、Ｂ／Ｆノズルユニット４４は、５本のＢ／Ｆノズル４４Ａを備え、ターンテーブル８４の孔８８に支持されたセル１０に対して、試薬類の吸引と洗浄液の吐出を行うことができる。
【０１８５】
＜第２Ｂ／Ｆユニット＞
図１に示すように、第２Ｂ／Ｆユニット２２Ｂは、第１Ｂ／Ｆユニット２２Ａとほぼ同じ構成であるが、磁石の個数、磁石の高さ、磁石の配置が異なっている。第２Ｂ／Ｆユニット２２Ｂでは、磁石の高さが全て８ｍｍに設定されており、７個の磁石が環状溝９８を挟んで半径方向内側と外側とに周方向に沿って交互に配置されている。なお、第２Ｂ／Ｆユニット２２Ｂは、磁石以外の構成は第１Ｂ／Ｆユニット２２Ａと同一構成である。なお、第２Ｂ／Ｆユニット２２Ｂは、第１Ｂ／Ｆユニット２２Ａと、磁石の個数、磁石の高さ、磁石の配置において、同じ構成とすることもできる。
【０１８６】
＜検出ユニット＞
第１Ｂ／Ｆユニット２２Ａ、及び第２Ｂ／Ｆユニット２２Ｂの右側には、後述するセルハンド７４を挟んで検出ユニット２４が配置されている。検出ユニット２４は、セル１０内の試薬を攪拌する攪拌部４６と、光量を測定する測定室４８とで構成されている。
【０１８７】
免疫測定装置２００には、上記の他に、セル１０を反応テーブル１８へ移動させるセルハンド５２、試薬を吸引吐出する試薬分注ノズル５４、６８、及び検体を吸引吐出する検体分注ノズル６０が配置されている。また、免疫測定装置２００を構成するユニット、セルハンド、及びノズル等は、制御部（不図示）に接続されており、制御部からの信号により動作する。また、制御部は、その他装置全体の動作を制御する。
【０１８８】
＜免疫測定法（２ステップサンドイッチ法）＞
次に、免疫測定装置２００を用いた免疫測定法（２ステップサンドイッチ法）を説明する。本実施形態では、磁性担体粒子含有試薬としてストレプトアビジン結合磁性担体粒子含有試薬を用いているが、他の種類の磁性担体粒子含有試薬を用いても良い。なお、ストレプトアビジン結合磁性担体粒子は、適宜、磁性担体粒子と呼ぶ。本実施形態では、第１抗体含有試薬としてビオチン化第１抗体含有試薬を用いているが、他の種類の第１抗体含有試薬を用いても良い。また、本実施形態では、標識化第２抗体含有試薬として、アルカリホスファターゼ標識第２抗体含有試薬を用いているが、これに限らず、測定対象成分の種類に応じて適宜選択される標識物質で標識された抗体を含有する試薬を用いることができる。本実施形態においては、免疫測定法として、サンドイッチ法に基づく化学発光免疫測定法を用いている。
【０１８９】
先ず最初に、セル供給ユニット１４のセルタンク３０内に未使用のセル１０を複数投入する。セルタンク３０へ投入されたセル１０は、エレベータ（不図示）により１個ずつセルタンク３０の上方へ持ち上げられ、その後、傾いた２本の棒で構成されたレール３２を滑ってセル送り機構３４へ搬送される。
【０１９０】
セル送り機構３４へ搬送されたセル１０は、セル送り機構３４の整列板５０が開閉することによりレール３２の終端部３２Ａへ１つずつ送り込まれる。なお、セル送り機構３４を設けずに、セルタンク３０からレール３２の終端部３２Ａまでセル１０を滑らせてもよい。
【０１９１】
レール３２の終端部３２Ａに到達したセル１０は、セルハンド５２に掴まれ、回転軸５２Ａ回りに回転して反応テーブル１８の凹部３８へセットされる。その後、反応テーブル１８の回転により、試薬分注ノズル５４の直下へ搬送される。ここで、試薬分注ノズル５４が回転軸５４Ａ周りに回転し、ターンテーブル３６のカセットに保持された試薬容器２６Ａからストレプトアビジン結合磁性担体粒子含有試薬を吸引してセル１０へ吐出する（図示せず）。
【０１９２】
次に、別の試薬容器２６Ｂからビオチン化第１抗体含有試薬を吸引してセル１０へ吐出する（図示せず）。ここで、ストレプトアビジン結合磁性担体粒子含有試薬を吐出した試薬分注ノズル５４は、分注ノズル洗浄槽５８で一旦洗浄され、その後、ビオチン化第１抗体含有試薬の吸引が行われる。これにより、試薬の混入を防止できる。
【０１９３】
なお、ストレプトアビジン結合磁性担体粒子含有試薬と、ビオチン化第１抗体含有試薬性担体粒子を含む試薬とをセル１０に吐出する代わりに、第１抗体が担持された磁性担体粒子を含む試薬をセル１０に吐出しても良い。
【０１９４】
ストレプトアビジン結合磁性担体粒子含有試薬とビオチン化第１抗体含有試薬とが吐出されたセル１０は、反応テーブル１８の回転により、検体分注ノズル６０の近傍へ搬送されながら、反応テーブル１８に設けられたヒータにより所定の温度（本実施形態では一例として３７°Ｃ）で温められ、磁性担体粒子に結合されたストレプトアビジンとビオチン化第１抗体との反応が促進される。
【０１９５】
セル１０が検体分注ノズル６０の近傍へ搬送されると、検体分注ノズル６０は、回転軸６０Ａ回りに回転し、検体テーブル２０にセットされた試験管４０から検体を吸引して、ストレプトアビジン結合磁性担体粒子含有試薬とビオチン化第１抗体含有試薬とが吐出されたセル１０へ吐出する（図６Ａ参照）。なお、検体分注ノズル６０は、検体ノズル洗浄槽６２で洗浄される。これにより、検体分注ノズル６０における検体による汚染が防止される。
【０１９６】
検体が吐出されたセル１０は、反応テーブル１８の外周に沿って設けられた攪拌機構６６の位置まで搬送され、攪拌機構６６によりセル１０内の試薬、及び検体が非接触で攪拌される。攪拌は、セル１０の底部を円錐振り子の軌道で回転させて行われる。以上により、検体中の測定対象成分が第１抗体に結合され、磁性担体粒子上に、第１抗体、及び測定対象成分（抗原）からなる第１の免疫複合体が形成される。
【０１９７】
＜第１Ｂ／Ｆユニットでの工程＞
次に、セル１０は、セルハンド７２によって第１Ｂ／Ｆユニット２２Ａに搬送され、ターンテーブル８４の孔８８に挿入される。その後、Ｂ／Ｆノズル４４Ａを通じて洗浄液がセル１０へ吐出される（図６Ｂ参照。ここでは、液面の高さを１２ｍｍとする）。これにより、第１の免疫複合体が担持された磁性担体粒子を含有する懸濁液が得られる。なお、洗浄液としては、反応後の混合物から、第１の免疫複合体が担持された磁性担体粒子以外の物質を除去し得る洗浄液であれば特に制限はなく、例えばリン酸緩衝化生理食塩水［０．１５ｍｏｌ／Ｌ塩化ナトリウムを含有する、１０ｍｍｏｌ／Ｌリン酸緩衝液（ｐＨ７．２）（以下、ＰＢＳと記す）］、界面活性剤を含有するＰＢＳ等が挙げられる。界面活性剤としては、例えばツイーン２０等が挙げられる。
【０１９８】
その後、ターンテーブル８４が矢印ＣＷ方向に回転され、図７Ａに示すように、セル１０は一対の第１の磁石１０４Ａと対向する位置に配置される。なお、前述した洗浄液を吐出する工程においては、第１の磁石１０４Ａの高さと液面とが一致するように洗浄液が吐出される。
【０１９９】
セル１０が高さ１２ｍｍの第１の磁石１０４Ａと対向すると、第１の免疫複合体が担持された磁性担体粒子が第１の磁石１０４Ａに引き寄せられ、セル１０の内側面の一方側、及び他方側に集まる（図中、網点で図示する部分）。液面の高さと第１の磁石１０４Ａの高さとが一致しているので、第１の磁石１０４Ａの磁力を、セル１０内の液体の高さ方向全体に及ぼすことができ、液体内に浮遊する第１の免疫複合体が担持された磁性担体粒子をセル１０の内面に効率的に集めることができる。ここで、集められた第１の免疫複合体が担持された磁性担体粒子の高さは、第１の磁石１０４Ａと同じ高さ、即ち、１２ｍｍとなる。なお、液面の高さが第１の磁石１０４Ａの高さよりも高い場合には、液体の上部に及ぶ磁力が少なく、液体の上部にある第１の免疫複合体が担持された磁性担体粒子をセル１０の内面に集磁することが困難となる。
【０２００】
また、セル１０内には洗浄液が吐出されているので（即ち、洗浄液で薄められている）、洗浄液が吐出されていない場合に比較して検体中の特定の成分（一例として、フィブリン）の影響が少なくなり、第１の免疫複合体が担持された磁性担体粒子が液中を移動し易く、第１の免疫複合体が担持された磁性担体粒子を短時間で効率的に集めることができる。よって、第１の免疫複合体が担持された磁性担体粒子の回収効率を高めることができる。
【０２０１】
次に、ターンテーブル８４が矢印ＣＷ方向に回転され、図７Ｂに示すように、セル１０は、高さ１０ｍｍの第２の磁石１０４Ｂと対向する位置に配置される。これにより、第１の免疫複合体が担持された磁性担体粒子は、第２の磁石１０４Ｂに引き寄せられ、セル１０の内面の片側に集められる。なお、ここでは、第１の磁石１０４Ａよりも低い第２の磁石１０４Ｂに引き寄せられるため、セル１０の内面の片側に集められた、第１の免疫複合体が担持された磁性担体粒子の高さは、第１の磁石１０４Ａで集められていた際の高さよりも低くなる、即ち、セル１０の内面に集められた、第１の免疫複合体が担持された磁性担体粒子の高さが１２ｍｍから１０ｍｍとなる。
【０２０２】
次に、図７Ｃに示すように、Ｂ／Ｆノズル４４Ａによって、セル１０内の液が吸引され、第１の免疫複合体が担持された磁性担体粒子以外のもの（例えば、磁性担体粒子と結合しなかったビオチン化第１抗体等）が除去され、第１の免疫複合体が担持された磁性担体粒子がセル１０内面に残される。以上のようにして、磁性担体粒子と結合した物質（Ｂｉｎｄ）と、結合しなかった物質（Ｆｒｅｅ）が分離（Ｂ／Ｆ分離）される。その後、図７Ｄに示すように、Ｂ／Ｆノズル４４Ａによって洗浄液がセル内に１２ｍｍの高さまで吐出される。
【０２０３】
次に、ターンテーブル８４が矢印ＣＷ方向に回転され、図７Ｅに示すように、セル１０は、高さ８ｍｍの第３の磁石１０４Ｃと対向する位置に配置される。これにより、第１の免疫複合体が担持された磁性担体粒子は、第２の磁石１０４Ｂとは反対側に配置された第３の磁石１０４Ｃに引き寄せられ、セル１０の内面の片側に集められる。なお、ここでは、第１の免疫複合体が担持された磁性担体粒子は、第２の磁石１０４Ｂよりも低い第３の磁石１０４Ｃに引き寄せられるため、セル１０の内面の片側に集められた、第１の免疫複合体が担持された磁性担体粒子の高さは、第２の磁石１０４Ｂで集められていた際の高さよりも低くなる、即ち、セル１０の内面に集められた、第１の免疫複合体が担持された磁性担体粒子の高さが１０ｍｍから８ｍｍとなる。
【０２０４】
次に、図７Ｆに示すように、Ｂ／Ｆノズル４４Ａによって、セル１０内の液が吸引されてＢ／Ｆ分離が行われ、第１の免疫複合体が担持された磁性担体粒子がセル１０内面に残される。その後、図７Ｇに示すように、Ｂ／Ｆノズル４４Ａによって洗浄液がセル１０内に１２ｍｍの高さまで吐出される。
【０２０５】
次に、ターンテーブル８４が矢印ＣＷ方向に回転され、図７Ｈに示すように、セル１０は、高さ７ｍｍの第４の磁石１０４Ｄと対向する位置に配置される。これにより、第１の免疫複合体が担持された磁性担体粒子は、第３の磁石１０４Ｃとは反対側に配置された第４の磁石１０４Ｄに引き寄せられ、セル１０の内面の片側に集められる。なお、ここでは、第１の免疫複合体が担持された磁性担体粒子は、第３の磁石１０４Ｃよりも低い第４の磁石１０４Ｄに引き寄せられるため、セル１０の内面の片側に集められた、第１の免疫複合体が担持された磁性担体粒子の高さは、第３の磁石１０４Ｃで集められていた際の高さよりも低くなる、即ち、セル１０の内面に集められた、第１の免疫複合体が担持された磁性担体粒子の高さが８ｍｍから７ｍｍとなる。
【０２０６】
次に、図７Ｉに示すように、Ｂ／Ｆノズル４４Ａによって、セル１０内の液が吸引されてＢ／Ｆ分離が行われ、第１の免疫複合体が担持された磁性担体粒子がセル１０内面に残される。その後、図７Ｊに示すように、Ｂ／Ｆノズル４４Ａによって洗浄液がセル１０内に１２ｍｍの高さまで吐出される。
【０２０７】
次に、ターンテーブル８４が矢印ＣＷ方向に回転され、図７Ｋに示すように、セル１０は、高さ６ｍｍの第５の磁石１０４Ｅと対向する位置に配置される。これにより、第１の免疫複合体が担持された磁性担体粒子は、第４の磁石１０４Ｄとは反対側に配置された第５の磁石１０４Ｅに引き寄せられ、セル１０の内面の片側に集められる。なお、ここでは、第１の免疫複合体が担持された磁性担体粒子は、第４の磁石１０４Ｄよりも低い第５の磁石１０４Ｅに引き寄せられるため、セル１０の内面の片側に集められた、第１の免疫複合体が担持された磁性担体粒子の高さは、第４の磁石１０４Ｄで集められていた際の高さよりも低くなる、即ち、セル１０の内面に集められた、第１の免疫複合体が担持された磁性担体粒子の高さが７ｍｍから６ｍｍとなる。
【０２０８】
次に、図７Ｌに示すように、Ｂ／Ｆノズル４４Ａによって、セル１０内の液が吸引されてＢ／Ｆ分離が行われ、第１の免疫複合体が担持された磁性担体粒子がセル１０内面に残される。その後、図７Ｍに示すように、Ｂ／Ｆノズル４４Ａによって洗浄液がセル１０内に１２ｍｍの高さまで吐出される。
【０２０９】
次に、ターンテーブル８４が矢印ＣＷ方向に回転され、図７Ｎに示すように、セル１０は、高さ５ｍｍの第６の磁石１０４Ｆと対向する位置に配置される。これにより、第１の免疫複合体が担持された磁性担体粒子は、第５の磁石１０４Ｅとは反対側に配置された第６の磁石１０４Ｆに引き寄せられ、セル１０の内面の片側に集められる。なお、ここでは、第１の免疫複合体が担持された磁性担体粒子は、第５の磁石１０４Ｅよりも低い第６の磁石１０４Ｆに引き寄せられるため、セル１０の内面の片側に集められた、第１の免疫複合体が担持された磁性担体粒子の高さは、第５の磁石１０４Ｅで集められていた際の高さよりも低くなる、即ち、セル１０の内面に集められた、第１の免疫複合体が担持された磁性担体粒子の高さが６ｍｍから５ｍｍとなる。
【０２１０】
次に、図７Ｏに示すように、Ｂ／Ｆノズル４４Ａによって、セル１０内の液が吸引されてＢ／Ｆ分離が行われ、第１の免疫複合体が担持された磁性担体粒子がセル１０内面に残される（第１の免疫複合体が担持された磁性担体粒子の高さは５ｍｍ）。
【０２１１】
＜反応テーブルでの工程＞
次に、セル１０は、セルハンド７２によって反応テーブル１８に搬送される。その後、試薬分注ノズル６８が回転軸６８Ａ回りに回転し、試薬保管ユニット１２のカセットの所定の位置に保持された試薬容器２６Ｃからアルカリホスファターゼ標識第２抗体含有試薬を吸引し、セル１０へ吐出する（図８Ａ参照）。これにより、磁性担体粒子上の第１の免疫複合体にアルカリホスファターゼ標識第２抗体が結合し、磁性担体粒子上に、ビオチン化第１抗体、測定対象成分（抗原）、及びアルカリホスファターゼ標識第２抗体の第２の免疫複合体を形成することができる。なお、試薬分注ノズル６８は、アルカリホスファターゼ標識第２抗体含有試薬を吐出した後、分注ノズル洗浄槽７０に移動して洗浄が行われる。
【０２１２】
図８Ａに示すように、アルカリホスファターゼ標識第２抗体含有試薬は、セル１０の内面に集められた第１の免疫複合体が担持された磁性担体粒子(図中、網点部分）の高さ（５ｍｍ）よりも液面の高さが若干低くなるようにセル１０内に吐出される。その後、セル１０は、攪拌機構６６に搬送さる。攪拌は、セル１０の底部を円錐振り子の軌道で回転させて行われるため、図８Ｂに示すように、液面は、遠心力の作用によってセル中央側よりも内面側（内壁面側）が高くなる。
【０２１３】
前述した様に、アルカリホスファターゼ標識第２抗体を吐出した後の液面の高さは、第１の免疫複合体が担持された磁性担体粒子の高さよりも若干低かったが、図８Ｂに示すように、攪拌によって液面のセル内面側を高くすることができるため（液面の上端を少なくとも高さ５ｍｍにできる）、セル内面に集められた第１の免疫複合体が担持された磁性担体粒子全体にアルカリホスファターゼ標識第２抗体含有試薬を接触させて洗い落とすことができ、第１の免疫複合体が担持された磁性担体粒子を、セル内面に付着残存させることなく、全てアルカリホスファターゼ標識第２抗体含有試薬に混ぜて分散させることが出来る（撹拌分散後の状態は、図８Ｃ参照）。
【０２１４】
また、本実施形態では、アルカリホスファターゼ標識第２抗体含有試薬をセル１０に吐出する際に、セル１０の内面に集められた、第１の免疫複合体が担持された磁性担体粒子の高さを当初の１２ｍｍから５ｍｍとして低くしているので、第１の免疫複合体が担持された磁性担体粒子の高さを低くしない場合(当初の高さ１２ｍｍ）に比較してアルカリホスファターゼ標識第２抗体含有試薬の吐出量を少量に抑えることができ、アルカリホスファターゼ標識第２抗体含有試薬を節約することができ、ランニングコストを低減できる。
【０２１５】
アルカリホスファターゼ標識第２抗体が吐出されたセル１０内の試薬類は、攪拌機構６６により攪拌されることで、アルカリホスファターゼ標識第２抗体と検体中の測定対象成分との反応が促進される。
【０２１６】
次に、セル１０は、反応テーブル１８の回転によりセルハンド７２の近傍へ搬送され、セルハンド７２に掴まれ、回転軸７２Ａ回りに回転して第２Ｂ／Ｆユニット２２Ｂへ搬送される。
【０２１７】
＜第２Ｂ／Ｆユニットでの工程＞
第２Ｂ／Ｆユニット２２Ｂに搬送されたセル１０は、ターンテーブル８４の孔８８に挿入される。その後、図９Ａに示すように、Ｂ／Ｆノズル４４Ａによって洗浄液がセル内に１２ｍｍの高さまで吐出される。そして、ターンテーブル８４が矢印ＣＷ方向に回転され、図９Ｂに示すように、セル１０は高さ８ｍｍの磁石１０６Ｒと対向する位置に配置される。
【０２１８】
セル１０が高さ８ｍｍの磁石１０６Ｒと対向すると、第２の免疫複合体が担持された磁性担体粒子が磁石１０６Ｒに引き寄せられ、セル１０の内側面の片側に集まる。ここで、集められた、第２の免疫複合体が担持された磁性担体粒子の高さは、磁石１０６Ｒと同じ高さ、即ち、８ｍｍとなる。
【０２１９】
次に、図９Ｃに示すように、Ｂ／Ｆノズル４４Ａによって、セル１０内の液が吸引されてＢ／Ｆ分離が行われ、第２の免疫複合体が担持された磁性担体粒子がセル１０内面に残される。その後、図９Ｄに示すように、Ｂ／Ｆノズル４４Ａによって洗浄液がセル１０内に１２ｍｍの高さまで吐出される。
【０２２０】
次に、ターンテーブル８４は矢印ＣＷ方向に回転され、図９Ｅに示すように、セル１０は、磁石１０６Ｌと対向する位置に配置される。これにより、第２の免疫複合体が担持された磁性担体粒子は、磁石１０６Ｒとは反対側に配置された磁石１０６Ｌに引き寄せられ、セル１０の内面の片側に集められる。
【０２２１】
次に、図９Ｆに示すように、Ｂ／Ｆノズル４４Ａによって、セル１０内の液が吸引されてＢ／Ｆ分離が行われ、セル１０の内面に集められた、第２の免疫複合体が担持された磁性担体粒子がセル内面に残される。その後、図９Ｇに示すように、Ｂ／Ｆノズル４４Ａによって洗浄液がセル１０内に１２ｍｍの高さまで吐出される。
【０２２２】
以後、第２Ｂ／Ｆユニット２２Ｂにおいても、第１Ｂ／Ｆユニット２２Ａと同様に、ターンテーブル８４の回転、セル１０に対する洗浄液の吐出、及び吸引、交互に配置された磁石によるセル１０内面への磁性担体粒子の引き寄せが行われ、Ｂ／Ｆ分離が繰り返し行われ、磁性担体粒子と結合しなかった物質を確実に取り除くようにしている。
【０２２３】
第２Ｂ／Ｆユニット２２ＢでＢ／Ｆ分離が行われたセル１０は、セルハンド７４に掴まれ、回転軸７４Ａ回りに回転して検出ユニット２４の攪拌部４６へ搬送される。このとき、セルハンド７４に設けられたチューブ（不図示）から検出試薬（発光基質試薬）がセル１０へ吐出される。攪拌部４６では、免疫複合体をその上に担持する磁性担体粒子と、検出試薬とが攪拌され、免疫複合体中のアルカリホスファターゼが発光基質試薬と反応して発光する。
【０２２４】
次にセル１０は、セルハンド７４に掴まれ、回転軸７４Ａ回りに回転して測定室４８内へ搬送される。測定室４８は、完全に閉塞されて光が入らない空間となっており、測定室４８内に設けられた発光量を測定するセンサ（不図示）により、免疫複合体中のアルカリホスファターゼと発光基質試薬との反応により生成した光の光量が測定され、この測定された発光量から、検体中の測定対象成分の濃度を決定する。測定が終わったセル１０は、セルハンド７４に掴まれ、廃棄管７６へ廃棄される。制御部（不図示）は、検体中の測定対象成分の濃度をデータとして蓄積し、また、測定結果をモニタ（不図示）等に表示させる。
【０２２５】
以上説明した様に、本実施形態の免疫測定装置２００では、第１の免疫複合体が形成された磁性担体粒子の懸濁された液が入れられたセル１０の側面に、液面の高さと同じ高さの第１の磁石１０４Ａを配置し、反応容器内の懸濁液の上下方向の全ての部分に渡って第１の磁石１０４Ａの磁力を作用させるので、液中の第１の免疫複合体が形成された磁性担体粒子に対して大きな磁力を作用させて集磁することができ、免疫複合体が担持された磁性担体粒子の回収効率を高めることができる。また、アルカリホスファターゼ標識第２抗体を吐出した後の液面の高さを、攪拌時に、セル１０内面に集められた第１の免疫複合体が担持された磁性担体粒子全体にアルカリホスファターゼ標識第２抗体含有試薬を接触させることができる高さに設定するので、該第１の免疫複合体が担持された磁性担体粒子をアルカリホスファターゼ標識第２抗体含有試薬中に全て分散させることが出来、分散性を高めることができる。第１の免疫複合体が担持された磁性担体粒子がアルカリホスファターゼ標識第２抗体含有試薬中に分散されずにセル１０内面に残ることが無いので、セル１０毎に第１の免疫複合体が担持された磁性担体粒子の分散量が異なることが抑制され、検体中の測定対象成分の測定を正確に行うことが可能となる。
【０２２６】
なお、Ｂ／Ｆ分離をする際（即ち、磁性担体粒子の洗浄）には、セル１０に洗浄液を添加してセル１０の側面から磁石（１０４Ａ〜Ｆ）を離脱させるか、セル１０の側面から磁石を離脱させてセル１０に洗浄液を添加するか、またはセル１０に洗浄液を添加しながらセル１０の側面から磁石を離脱させれば良く、何れかを行えば良い。
【０２２７】
また、上記実施形態の第１Ｂ／Ｆユニット２２Ａでは、第１の磁石１０４Ａ〜第６の磁石１０４Ｆの高さが隣接する同士で全て異なり、かつ第１の磁石１０４Ａから第６の磁石１０４Ｆへ向けて段々に低くなっていたが、最後の第６の磁石１０４Ｆの高さが一番低くなっていれば良く、複数の磁石の中で、互いに隣接する磁石同士で同じ高さとなっている部分があっても良い。
【０２２８】
［試験例１］
本発明により、２ステップサンドイッチ法において、標識化第２抗体を添加した後の、第１の免疫複合体が担持された磁性担体粒子の分散性が向上したか否かを調べる試験を行った。
【０２２９】
実施例では、セル１０に、ストレプトアビジン結合磁性担体粒子含有試薬、ビオチン化第１抗体含有試薬、及び検体を吐出して抗原抗体反応を行った後、洗浄液を吐出して液面の高さを１２ｍｍとし、このセル１０の側面に高さ１２ｍｍの第１の磁石を対向させて第１の免疫複合体の形成された磁性担体粒子の集磁と洗浄を５回行った。５回目の洗浄において、セル１０の側面に高さ５ｍｍの磁石を対向させて第１の免疫複合体の形成された磁性担体粒子の集磁と洗浄した。その後、セル１０に、アルカリホスファターゼ標識第２抗体を添加し、撹拌したときの液面の上端の高さを５ｍｍとした。その後、上記所定の工程（発光基質試薬の添加等）を経て発光量の測定を行った。
【０２３０】
一方、比較例は、ＢＦユニットの磁石の高さを全て１２ｍｍとして、それ以外は実施例と同じ手順で行った。
【０２３１】
試験例１において、磁性担体粒子の分散性が向上したか否かを評価する指標として、発光量の変動係数［変動係数＝標準偏差／算術平均×１００（％）］を用い、両洗浄方法による変動係数を比較した。変動係数は、値が小さいほど、精度良く測定できたことを意味する。
上記、実施例及び比較例の手順に従い、同一検体を３０回連続で測定したときの発光量（ｎ＝３０）から、算術平均、標準偏差、変動係数を算出した。算出された変動係数を表１に示す。
【表１】
0006610550.tif 000002
実施例と比較例の変動係数を比較したところ、比較例に対して実施例は、変動係数が２．６％低くなった。すなわち、比較例と比較して、本願発明の適用された実施例は、磁性担体粒子の分散性が向上し、精度良く測定できることが明らかとなった。
【０２３２】
［第２の実施形態（２ステップサンドイッチ法における２次反応後の洗浄）］
次に、図面を参照しながら、本発明の第２の実施形態について説明する。なお、第１の実施形態と同一構成には同一符号を付し、その説明は省略する。第１の実施形態では、第２Ｂ／Ｆユニット２２Ｂの複数の磁石（磁石１０６Ｒ、及び磁石１０６Ｌ）の高さが全て同じ高さ（８ｍｍ）に設定されていたが、本実施形態の第２Ｂ／Ｆユニット２２Ｂは、第１Ｂ／Ｆユニット２２Ａと同一構成とされており、第１の磁石１０４Ａ〜第６の磁石１０４Ｆの高さが、第１の磁石１０４Ａから第６の磁石１０４Ｆに向けて徐々に低く（１２ｍｍから５ｍｍ）なっている。
【０２３３】
（作用、効果）
次に、本実施形態の免疫測定装置２００の作用を説明する。
第２の実施形態は、第１の実施形態とは、第２Ｂ／Ｆユニット２２Ｂでの工程及び、その後の工程が異なるだけであり、その他の工程は同じであるため、第２Ｂ／Ｆユニット２２Ｂでの工程以降を以下に説明し、その他の工程の説明は省略する。
【０２３４】
＜第２Ｂ／Ｆユニットでの工程＞
第２の免疫複合体が担持された磁性担体粒子を有するセル１０は、セルハンド７２によって反応テーブル１８から第２Ｂ／Ｆユニット２２Ｂに搬送され、ターンテーブル８４の孔８８に挿入される。その後、Ｂ／Ｆノズル４４Ａによって洗浄液がセル内に１２ｍｍの高さまで吐出される。そして、ターンテーブル８４が矢印ＣＷ方向に回転され、図７Ａに示すように、セル１０は高さ１２ｍｍの一対の第１の磁石１０４Ａと対向する位置に配置される。
【０２３５】
セル１０が高さ１２ｍｍの第１の磁石１０４Ａと対向すると、第２の免疫複合体が担持された磁性担体粒子が第１の磁石１０４Ａに引き寄せられ、セル１０の内側面の一方側、及び他方側に集まる。液面の高さと第１の磁石１０４Ａの高さとが一致しているので、第１の磁石１０４Ａの磁力を、セル１０内の液体の高さ方向全体に及ぼすことができ、液体内に浮遊する第２の免疫複合体が担持された磁性担体粒子をセル１０の内面に効率的に集めることができる。ここで、セル１０の内面に集められた、第２の免疫複合体が担持された磁性担体粒子の高さは、第１の磁石１０４Ａと同じ高さ、即ち、１２ｍｍとなる。
【０２３６】
次に、ターンテーブル８４が矢印ＣＷ方向に回転され、図７Ｂに示すように、セル１０は、高さ１０ｍｍの第２の磁石１０４Ｂと対向する位置に配置される。これにより、第２の免疫複合体が担持された磁性担体粒子は、第２の磁石１０４Ｂに引き寄せられ、セル１０の内面の片側に集められる。なお、ここでは、第１の磁石１０４Ａよりも低い第２の磁石１０４Ｂに引き寄せられるため、セル１０の内面の片側に集められた、第２の免疫複合体が担持された磁性担体粒子の高さは、第１の磁石１０４Ａで集められていた際の高さよりも低くなる、即ち、セル１０の内面に集められた、第２の免疫複合体が担持された磁性担体粒子の高さが１２ｍｍから１０ｍｍとなる。
【０２３７】
次に、図７Ｃに示すように、Ｂ／Ｆノズル４４Ａによって、セル１０内の液が吸引され、第２の免疫複合体が担持された磁性担体粒子以外のものが除去され、第２の免疫複合体が担持された磁性担体粒子がセル１０内面に残される。その後、図７Ｄに示すように、Ｂ／Ｆノズル４４Ａによって洗浄液がセル内に１２ｍｍの高さまで吐出される。
【０２３８】
次に、ターンテーブル８４が矢印ＣＷ方向に回転され、図７Ｅに示すように、セル１０は、高さ８ｍｍの第３の磁石１０４Ｃと対向する位置に配置される。これにより、第２の免疫複合体が担持された磁性担体粒子は、第２の磁石１０４Ｂとは反対側に配置された第３の磁石１０４Ｃに引き寄せられ、セル１０の内面の片側に集められる。なお、ここでは、第２の免疫複合体が担持された磁性担体粒子は、第２の磁石１０４Ｂよりも低い第３の磁石１０４Ｃに引き寄せられるため、セル１０の内面の片側に集められた、第２の免疫複合体が担持された磁性担体粒子の高さは、第２の磁石１０４Ｂで集められていた際の高さよりも低くなる、即ち、セル１０の内面に集められた、第２の免疫複合体が担持された磁性担体粒子の高さが１０ｍｍから８ｍｍとなる。
【０２３９】
次に、図７Ｆに示すように、Ｂ／Ｆノズル４４Ａによって、セル１０内の液が吸引されてＢ／Ｆ分離が行われ、第２の免疫複合体が担持された磁性担体粒子がセル１０内面に残される。その後、図７Ｇに示すように、Ｂ／Ｆノズル４４Ａによって洗浄液がセル１０内に１２ｍｍの高さまで吐出される。
【０２４０】
次に、ターンテーブル８４が矢印ＣＷ方向に回転され、図７Ｈに示すように、セル１０は、高さ７ｍｍの第４の磁石１０４Ｄと対向する位置に配置される。これにより、第２の免疫複合体が担持された磁性担体粒子は、第３の磁石１０４Ｃとは反対側に配置された第４の磁石１０４Ｄに引き寄せられ、セル１０の内面の片側に集められる。なお、ここでは、第２の免疫複合体が担持された磁性担体粒子は、第３の磁石１０４Ｃよりも低い第４の磁石１０４Ｄに引き寄せられるため、セル１０の内面の片側に集められた、第２の免疫複合体が担持された磁性担体粒子の高さは、第３の磁石１０４Ｃで集められていた際の磁性担体粒子の高さよりも低くなる、即ち、セル１０の内面に集められた、第２の免疫複合体が担持された磁性担体粒子の高さが８ｍｍから７ｍｍとなる。
【０２４１】
次に、図７Ｉに示すように、Ｂ／Ｆノズル４４Ａによって、セル１０内の液が吸引されてＢ／Ｆ分離が行われ、第２の免疫複合体が担持された磁性担体粒子がセル１０内面に残される。その後、図７Ｊに示すように、Ｂ／Ｆノズル４４Ａによって洗浄液がセル１０内に１２ｍｍの高さまで吐出される。
【０２４２】
次に、ターンテーブル８４が矢印ＣＷ方向に回転され、図７Ｋに示すように、セル１０は、高さ６ｍｍの第５の磁石１０４Ｅと対向する位置に配置される。これにより、第２の免疫複合体が担持された磁性担体粒子は、第４の磁石１０４Ｄとは反対側に配置された第５の磁石１０４Ｅに引き寄せられ、セル１０の内面の片側に集められる。なお、ここでは、第２の免疫複合体が担持された磁性担体粒子は、第４の磁石１０４Ｄよりも低い第５の磁石１０４Ｅに引き寄せられるため、セル１０の内面の片側に集められた、第２の免疫複合体が担持された磁性担体粒子の高さは、第４の磁石１０４Ｄで集められていた際の磁性担体粒子の高さよりも低くなる、即ち、セル１０の内面に集められた、第２の免疫複合体が担持された磁性担体粒子の高さが７ｍｍから６ｍｍとなる。
【０２４３】
次に、図７Ｌに示すように、Ｂ／Ｆノズル４４Ａによって、セル１０内の液が吸引されてＢ／Ｆ分離が行われ、第２の免疫複合体が担持された磁性担体粒子がセル１０内面に残される。その後、図７Ｍに示すように、Ｂ／Ｆノズル４４Ａによって洗浄液がセル１０内に１２ｍｍの高さまで吐出される。
【０２４４】
次に、ターンテーブル８４が矢印ＣＷ方向に回転され、図７Ｎに示すように、セル１０は、高さ５ｍｍの第６の磁石１０４Ｆと対向する位置に配置される。これにより、第２の免疫複合体が担持された磁性担体粒子は、第５の磁石１０４Ｅとは反対側に配置された第６の磁石１０４Ｆに引き寄せられ、セル１０の内面の片側に集められる。なお、ここでは、第２の免疫複合体が担持された磁性担体粒子は、第５の磁石１０４Ｅよりも低い第６の磁石１０４Ｆに引き寄せられるため、セル１０の内面の片側に集められた、第２の免疫複合体が担持された磁性担体粒子の高さは、第５の磁石１０４Ｅで集められていた際の磁性担体粒子の高さよりも低くなる、即ち、セル１０の内面に集められた、第２の免疫複合体が担持された磁性担体粒子の高さが６ｍｍから５ｍｍとなる。
【０２４５】
次に、図７Ｏに示すように、Ｂ／Ｆノズル４４Ａによって、セル１０内の液が吸引されてＢ／Ｆ分離が行われ、第２の免疫複合体が担持された磁性担体粒子がセル１０内面に残される（第２の免疫複合体が担持された磁性担体粒子の高さは５ｍｍ）。
【０２４６】
第２Ｂ／Ｆユニット２２ＢでＢ／Ｆ分離が行われたセル１０は、セルハンド７４に掴まれ、回転軸７４Ａ回りに回転して検出ユニット２４の攪拌部４６へ搬送される。このとき、セルハンド７４に設けられたチューブ（不図示）から検出試薬（発光基質試薬）がセル１０へ吐出される。攪拌部４６では、第２の免疫複合体が担持された磁性担体粒子と検出試薬とが攪拌される。その後、第１の実施形態と同様に、セル１０は測定室４８内へ搬送され、光量の測定が行われる。
【０２４７】
このように、第２の実施形態では、検出試薬が吐出されるセル１０は、第２の免疫複合体が担持された磁性担体粒子の高さが５ｍｍとなるため、第２の免疫複合体が担持された磁性担体粒子を検出試薬中に分散させるには、撹拌時の検出試薬の液面の上端の高さが５ｍｍとなれば良く、セル１０に吐出する検出試薬の液面の高さは５ｍｍ未満で良く、高い分散性を確保しつつ、第１の実施形態に比較して使用する検出試薬の量を削減することができる。
【０２４８】
なお、第２Ｂ／Ｆユニット２２ＢでＢ／Ｆ分離をする際（即ち、磁性担体粒子の洗浄）には、第１Ｂ／Ｆユニット２２Ａと同様に、セル１０に洗浄液を添加してセル１０の側面から磁石（１０４Ａ〜Ｆ）を離脱させるか、セル１０の側面から磁石を離脱させてセル１０に洗浄液を添加するか、またはセル１０に洗浄液を添加しながらセル１０の側面から磁石を離脱させれば良く、何れかを行えば良い。
【０２４９】
また、上記実施形態の第２Ｂ／Ｆユニット２２Ｂにおいても、磁石の高さが隣接する同士で全て異なり、かつ磁石の高さが段々に低くなっていたが、最後の磁石の高さが一番低くなっていれば良く、複数の磁石の中で、互いに隣接する磁石同士で同じ高さとなっている部分があっても良い。
【０２５０】
［第３の実施形態（１ステップサンドイッチ法）］
次に、図面を参照しながら、本発明の第３の実施形態について説明する。第１の実施形態では、２ステップサンドイッチ法を用いて測定対象成分の測定を行ったが、第３の実施形態では、１ステップサンドイッチ法を用いて測定対象成分の測定を行う。
【０２５１】
＜免疫測定法（１ステップサンドイッチ法）＞
以下に、本実施形態の１ステップサンドイッチ法を説明する。なお、本実施形態で用いる試薬は、前述した実施形態の２ステップサンドイッチ法と同じものを用いている。
【０２５２】
１ステップサンドイッチ法では、反応テーブル１８上のセル１０に、ストレプトアビジン結合磁性担体粒子含有試薬、ビオチン化第１抗体含有試薬、アルカリホスファターゼ標識第２抗体含有試薬、及び検体がセル１０へ吐出されて、抗原抗体反応が行われ、これらが攪拌機構６６により攪拌される。これにより、磁性担体粒子上に、第１抗体、測定対象成分（抗原）、及びアルカリホスファターゼ標識第２抗体からなる第２の免疫複合体が形成される。
【０２５３】
なお、ストレプトアビジン結合磁性担体粒子含有試薬と、ビオチン化第１抗体含有試薬性担体粒子を含む試薬とをセル１０に吐出する代わりに、第１抗体が担持された磁性担体粒子を含む試薬をセル１０に吐出しても良い。
【０２５４】
その後、セル１０は、セルハンド７２によって反応テーブル１８から、前述した第１の実施形態で用いた第１Ｂ／Ｆユニット２２Ａ（第１の磁石１０４Ａから第６の磁石１０４Ｆに向けて徐々に低く（１２ｍｍから５ｍｍ）なっている）に搬送され、ターンテーブル８４の孔８８に挿入される。その後、Ｂ／Ｆノズル４４Ａによって洗浄液がセル内に１２ｍｍの高さまで吐出され、以後、第１の実施形態と同様にしてＢ／Ｆ分離が行われ、検出試薬の吐出、攪拌、及び測定室４８での光量の測定が行われる。
したがって、本実施形態においても、検出試薬の量を削減することができる。
【０２５５】
［試験例２］
１ステップサンドイッチ法において、本発明により、第２の免疫複合体が担持された磁性担体粒子の回収効率を高められるか否かを調べる試験を行った。
【０２５６】
実施例では、セル１０に、ストレプトアビジン結合磁性担体粒子含有試薬、ビオチン化第１抗体含有試薬、検体、アルカリホスファターゼ標識第２抗体、及び洗浄液を吐出して液面の高さを１２ｍｍとし、このセル１０の側面に高さ１２ｍｍの第１の磁石を対向させて第２の免疫複合体が担持された磁性担体粒子の集磁と洗浄を５回行った。その後、上記所定の工程（発光基質試薬の添加等）を経て発光量の測定を行った。
【０２５７】
一方、比較例では、セル１０に、ストレプトアビジン結合磁性担体粒子含有試薬、ビオチン化第１抗体含有試薬、検体、アルカリホスファターゼ標識第２抗体、及び洗浄液を吐出して液面の高さを１２ｍｍとし、このセル１０の側面に高さ８ｍｍの第１の磁石を対向させて第２の免疫複合体が担持された磁性担体粒子の集磁と洗浄を５回行った。その後、上記所定の工程（発光基質試薬の添加等）を経て発光量の測定を行った。
【０２５８】
試験例２において、得られる発光量が高い方が、第２の免疫複合体が担持された磁性担体粒子の回収効率が高いことを意味する。
実施例と比較例との発光量（relative luminescence unit：ＲＬＵ）、及び、比較例における発光量を基準（１００％）としたときの相対値を、表２に示す。実施例と比較例との発光量の比較を行ったところ、比較例に対して実施例は、発光量が約１０％高かった。試験結果から、上記の様に液面の高さと同じ高さの磁石を用いることで回収効率が高められることが分かった。
【表２】
0006610550.tif 000003
【０２５９】
［第４の実施形態（競合法１）］
次に、図面を参照しながら、本発明の第４の実施形態について説明する。前述した実施形態では、サンドイッチ法を用いて測定対象成分の測定を行ったが、本実施形態では、競合法１を用いて測定対象成分の測定を行う。
【０２６０】
本実施形態の競合法１では、反応テーブル１８にセットされたセル１０に、検体と、競合物質に標識（例えば、アルカリホスファターゼ）が結合してなる標識化競合物質を含む試薬、検体の測定対象成分と標識化競合物質とに結合する第１抗体を含む試薬、及び磁性担体粒子を含む試薬がセル１０へ吐出され（例えば、図６Ａ参照））、抗原抗体反応が行われ、これらが、攪拌機構６６により、撹拌される。
【０２６１】
これにより、第１抗体と測定対象成分とからなる第３の免疫複合体、及び、第１抗体と標識化競合物質とからなる第４の免疫複合体が担持された磁性担体粒子を含有する懸濁液が得られる。
【０２６２】
なお、検体の測定対象成分と標識化競合物質とに結合する第１抗体を含む試薬と、磁性担体粒子を含む試薬とをセル１０に吐出する代わりに、第１抗体を担持したが担持された磁性担体粒子を含む試薬をセル１０に吐出しても良い。
【０２６３】
次に、セル１０は、セルハンド７２によって第１Ｂ／Ｆユニット２２Ａに搬送され、ターンテーブル８４の孔８８に挿入される。孔８８に挿入されたセル１０には、Ｂ／Ｆノズル４４Ａを通じて洗浄液が吐出される。この洗浄液を吐出する工程においては、第１の磁石１０４Ａの高さと液面とが一致するように洗浄液が吐出される（ここでは、液面の高さを１２ｍｍとする。）。
【０２６４】
その後、ターンテーブル８４が矢印ＣＷ方向に回転され、図７Ａに示すように、セル１０は一対の第１の磁石１０４Ａと対向する位置に配置される。セル１０が、例えば、高さ１２ｍｍの第１の磁石１０４Ａと対向すると、第３の免疫複合体、及び第４の免疫複合体が担持された磁性担体粒子が第１の磁石１０４Ａに引き寄せられ、セル１０の内側面の一方側、及び他方側に集まる。液面の高さと第１の磁石１０４Ａの高さとが一致しているので、第１の磁石１０４Ａの磁力を、セル１０内の液体の高さ方向全体に及ぼすことができ、第３の免疫複合体、及び第４の免疫複合体が担持された磁性担体粒子をセル１０の内面に効率的に集めることができる。
【０２６５】
また、セル１０内には洗浄液が吐出されているので（即ち、洗浄液で薄められている）、洗浄液が吐出されていない場合に比較して検体中の特定の成分（一例として、フィブリン）の影響が少なくなり、第３の免疫複合体、及び第４の免疫複合体が担持された磁性担体粒子が液中を移動し易く、第３の免疫複合体、及び第４の免疫複合体が担持された磁性担体粒子を短時間で効率的に集めることができる。よって、第３の免疫複合体、及び第４の免疫複合体が担持された磁性担体粒子の回収効率を高めることができる。
【０２６６】
次に、ターンテーブル８４が矢印ＣＷ方向に回転され、図７Ｂに示すように、セル１０は、高さ１０ｍｍの第２の磁石１０４Ｂと対向する位置に配置される。これにより、第３の免疫複合体、及び第４の免疫複合体が担持された磁性担体粒子は、第２の磁石１０４Ｂに引き寄せられ、セル１０の内面の片側に集められる。なお、ここでは、第１の磁石１０４Ａよりも低い第２の磁石１０４Ｂに引き寄せられるため、セル１０の内面の片側に集められた、第３の免疫複合体、及び第４の免疫複合体が担持された磁性担体粒子の高さは、第１の磁石１０４Ａで集められていた際の高さよりも低くなる、即ち、第３の免疫複合体、及び第４の免疫複合体が担持された磁性担体粒子の高さが１２ｍｍから１０ｍｍとなる。
【０２６７】
次に、図７Ｃに示すように、Ｂ／Ｆノズル４４Ａによって、セル１０内の液が吸引され、第３の免疫複合体、及び第４の免疫複合体が担持された磁性担体粒子以外のものが除去され、第３の免疫複合体、及び第４の免疫複合体が担持された磁性担体粒子がセル１０内面に残される。以上のようにして、磁性担体粒子と結合した物質（Ｂｉｎｄ）と、結合しなかった物質（Ｆｒｅｅ）が分離（Ｂ／Ｆ分離）される。その後、図７Ｄに示すように、Ｂ／Ｆノズル４４Ａによって洗浄液がセル内に１２ｍｍの高さまで吐出される。
【０２６８】
次に、ターンテーブル８４が矢印ＣＷ方向に回転され、図７Ｅに示すように、セル１０は、高さ８ｍｍの第３の磁石１０４Ｃと対向する位置に配置される。これにより、第３の免疫複合体、及び第４の免疫複合体が担持された磁性担体粒子は、第２の磁石１０４Ｂとは反対側に配置された第３の磁石１０４Ｃに引き寄せられ、セル１０の内面の片側に集められる。なお、ここでは、第３の免疫複合体、及び第４の免疫複合体が担持された磁性担体粒子は、第２の磁石１０４Ｂよりも低い第３の磁石１０４Ｃに引き寄せられるため、セル１０の内面の片側に集められた、第３の免疫複合体、及び第４の免疫複合体が担持された磁性担体粒子の高さは、第２の磁石１０４Ｂで集められていた際の磁性担体粒子の高さよりも低くなる、即ち、セル１０の内面に集められた、第３の免疫複合体、及び第４の免疫複合体が担持された磁性担体粒子の高さが１０ｍｍから８ｍｍとなる。
【０２６９】
次に、図７Ｆに示すように、Ｂ／Ｆノズル４４Ａによって、セル１０内の液が吸引されてＢ／Ｆ分離が行われ、第３の免疫複合体、及び第４の免疫複合体が担持された磁性担体粒子がセル１０内面に残される。その後、図７Ｇに示すように、Ｂ／Ｆノズル４４Ａによって洗浄液がセル１０内に１２ｍｍの高さまで吐出される。
【０２７０】
次に、ターンテーブル８４が矢印ＣＷ方向に回転され、図７Ｈに示すように、セル１０は、高さ７ｍｍの第４の磁石１０４Ｄと対向する位置に配置される。これにより、第３の免疫複合体、及び第４の免疫複合体が担持された磁性担体粒子は、第３の磁石１０４Ｃとは反対側に配置された第４の磁石１０４Ｄに引き寄せられ、セル１０の内面の片側に集められる。なお、ここでは、第３の免疫複合体、及び第４の免疫複合体が担持された磁性担体粒子は、第３の磁石１０４Ｃよりも低い第４の磁石１０４Ｄに引き寄せられるため、セル１０の内面の片側に集められた、第３の免疫複合体、及び第４の免疫複合体が担持された磁性担体粒子の高さは、第３の磁石１０４Ｃで集められていた際の高さよりも低くなる、即ち、セル１０の内面に集められた、第３の免疫複合体、及び第４の免疫複合体が担持された磁性担体粒子の高さが８ｍｍから７ｍｍとなる。
【０２７１】
次に、図７Ｉに示すように、Ｂ／Ｆノズル４４Ａによって、セル１０内の液が吸引されてＢ／Ｆ分離が行われ、第３の免疫複合体、及び第４の免疫複合体が担持された磁性担体粒子がセル１０内面に残される。その後、図７Ｊに示すように、Ｂ／Ｆノズル４４Ａによって洗浄液がセル１０内に１２ｍｍの高さまで吐出される。
【０２７２】
次に、ターンテーブル８４が矢印ＣＷ方向に回転され、図７Ｋに示すように、セル１０は、高さ６ｍｍの第５の磁石１０４Ｅと対向する位置に配置される。これにより、第３の免疫複合体、及び第４の免疫複合体が担持された磁性担体粒子は、第４の磁石１０４Ｄとは反対側に配置された第５の磁石１０４Ｅに引き寄せられ、セル１０の内面の片側に集められる。なお、ここでは、第３の免疫複合体、及び第４の免疫複合体が担持された磁性担体粒子は、第４の磁石１０４Ｄよりも低い第５の磁石１０４Ｅに引き寄せられるため、セル１０の内面の片側に集められた、第３の免疫複合体、及び第４の免疫複合体が担持された磁性担体粒子の高さは、第４の磁石１０４Ｄで集められていた際の高さよりも低くなる、即ち、セル１０の内面に集められた、第３の免疫複合体、及び第４の免疫複合体が担持された磁性担体粒子の高さが７ｍｍから６ｍｍとなる。
【０２７３】
次に、図７Ｌに示すように、Ｂ／Ｆノズル４４Ａによって、セル１０内の液が吸引されてＢ／Ｆ分離が行われ、第３の免疫複合体、及び第４の免疫複合体が担持された磁性担体粒子がセル１０内面に残される。その後、図７Ｍに示すように、Ｂ／Ｆノズル４４Ａによって洗浄液がセル１０内に１２ｍｍの高さまで吐出される。
【０２７４】
次に、ターンテーブル８４が矢印ＣＷ方向に回転され、図７Ｎに示すように、セル１０は、高さ５ｍｍの第６の磁石１０４Ｆと対向する位置に配置される。これにより、第３の免疫複合体、及び第４の免疫複合体が担持された磁性担体粒子は、第５の磁石１０４Ｅとは反対側に配置された第６の磁石１０４Ｆに引き寄せられ、セル１０の内面の片側に集められる。なお、ここでは、第３の免疫複合体、及び第４の免疫複合体が担持された磁性担体粒子は、第５の磁石１０４Ｅよりも低い第６の磁石１０４Ｆに引き寄せられるため、セル１０の内面の片側に集められた、第３の免疫複合体、及び第４の免疫複合体が担持された磁性担体粒子の高さは、第５の磁石１０４Ｅで集められていた際の高さよりも低くなる、即ち、セル１０の内面に集められた、第３の免疫複合体、及び第４の免疫複合体が担持された磁性担体粒子の高さが６ｍｍから５ｍｍとなる。
【０２７５】
次に、図７Ｏに示すように、Ｂ／Ｆノズル４４Ａによって、セル１０内の液が吸引されてＢ／Ｆ分離が行われ、第３の免疫複合体、及び第４の免疫複合体が担持された磁性担体粒子がセル１０内面に残される（第３の免疫複合体、及び第４の免疫複合体が担持された磁性担体粒子の高さは５ｍｍ）。
【０２７６】
第１Ｂ／Ｆユニット２２ＡでＢ／Ｆ分離が行われたセル１０は、セルハンド７４に掴まれ検出ユニット２４の攪拌部４６へ搬送される。このとき、セルハンド７４に設けられたチューブ（不図示）から検出試薬（発光基質試薬）がセル１０へ吐出される。攪拌部４６では、免疫複合体を担持する磁性担体粒子と、検出試薬とが攪拌され、第４の免疫複合体中のアルカリホスファターゼが発光基質試薬と反応して発光する。
【０２７７】
本実施形態では、検出試薬が吐出されるセル１０において、第３の免疫複合体、及び第４の免疫複合体が担持された磁性担体粒子の高さが５ｍｍとなるため、第３の免疫複合体、及び第４の免疫複合体が担持された磁性担体粒子を検出試薬中に分散させるには、撹拌時の検出試薬の液面の上端の高さが５ｍｍとなれば良く、セル１０に吐出する検出試薬の液面の高さは５ｍｍ未満で良く、検出試薬の量を削減することができると共に、より少ない量の検出試薬の添加により、磁性担体粒子を効率的、かつ確実に分散させることができる。
【０２７８】
その後、セル１０は測定室４８内へ搬送され、センサ（不図示）により、磁性担体粒子が担持している第４の免疫複合体中のアルカリホスファターゼと発光基質試薬との反応により生成した光の光量が測定され、この測定された発光量から、検体中の測定対象成分の濃度が決定される（なお、検体の測定対象成分と第１抗体とからなる第３の免疫複合体には、標識化競合物質が結合していないので、第３の免疫複合体が担持された磁性担体粒子は光らない。）。なお、競合法１は、サンドイッチ法と異なり、検体中の測定対象成分が多くなると、発光量が小さくなる。
【０２７９】
以上説明した様に、本実施形態の免疫測定方法では、第３の免疫複合体、及び第４の免疫複合体が担持された磁性担体粒子の懸濁された液が入れられたセル１０の側面に、液面の高さと同じ高さの第１の磁石１０４Ａを配置し、液の上下方向の全ての部分に渡って第１の磁石１０４Ａの磁力を作用させるので、懸濁液中の第３の免疫複合体、及び第４の免疫複合体が担持された磁性担体粒子に対して大きな磁力を作用させて集磁することができ、免疫複合体が担持された磁性担体粒子の回収効率を高めることができる。
また、検出試薬を吐出した後の液面の高さを、攪拌時に、セル１０内面に集められた第３の免疫複合体、及び第４の免疫複合体が担持された磁性担体粒子全体に検出試薬を接触させることができる高さに設定するので、該第３の免疫複合体、及び第４の免疫複合体が担持された磁性担体粒子をセル１０内面に残存させることなく、検出試薬中に全て分散させることが出来、分散性を高めることができ、検体中の測定対象成分の測定を正確に行うことが可能となる。
【０２８０】
なお、Ｂ／Ｆ分離をする際（即ち、磁性担体粒子の洗浄）には、セル１０に洗浄液を添加してセル１０の側面から磁石（１０４Ａ〜Ｆ）を離脱させるか、セル１０の側面から磁石を離脱させてセル１０に洗浄液を添加するか、またはセル１０に洗浄液を添加しながらセル１０の側面から磁石を離脱させれば良く、何れかを行えば良い。
【０２８１】
本実施形態の第１Ｂ／Ｆユニット２２Ａにおいても、第１の実施形態と同様に、第１の磁石１０４Ａ〜第６の磁石１０４Ｆの高さが隣接する同士で全て異なり、かつ第１の磁石１０４Ａから第６の磁石１０４Ｆへ向けて段々に低くなっていたが、最後の第６の磁石１０４Ｆの高さが一番低くなっていれば良く、複数の磁石の中で、互いに隣接する磁石同士で同じ高さとなっている部分があっても良い。
【０２８２】
［第５の実施形態（競合法２）］
次に、図面を参照しながら、本発明の第５の実施形態について説明する。本実施形態では、競合法２を用いて測定対象成分の測定を行う。
【０２８３】
本実施形態の競合法２では、反応テーブル１８にセットされたセル１０に、検体と、検体中の測定対象成分と競合物質とに結合する標識化された第１抗体（適宜、標識化第１抗体と呼ぶ。）を含む試薬と、競合物質を含む試薬と、磁性担体粒子を含む試薬とが吐出され、これらが、攪拌機構６６により、撹拌され、抗原抗体反応が行われる。
【０２８４】
これにより、競合物質と標識化第１抗体とからなる第５の免疫複合体が担持された磁性担体粒子を含有する懸濁液が得られる。
なお、競合物質を含む試薬と、磁性担体粒子を含む試薬とをセル１０に吐出する代わりに、競合物質が担持された磁性担体粒子を含む試薬をセル１０に吐出しても良い。
【０２８５】
次に、セル１０は、セルハンド７２によって第１Ｂ／Ｆユニット２２Ａに搬送され、ターンテーブル８４の孔８８に格納される。孔８８に格納されたセル１０には、Ｂ／Ｆノズルを通じて洗浄液が吐出される。この洗浄液を吐出する工程においては、第１の磁石１０４Ａの高さと液面とが一致するように洗浄液が吐出される（ここでは、液面の高さを１２ｍｍとする。）。
【０２８６】
その後、ターンテーブル８４が矢印ＣＷ方向に回転され、セル１０は、一対の第１の磁石１０４Ａと対向する位置に配置される（図７Ａ参照）。セル１０が、例えば、高さ１２ｍｍの第１の磁石１０４Ａと対向すると、第５の免疫複合体が担持された磁性担体粒子、及び競合物質のみが担持された磁性担体粒子が第１の磁石１０４Ａに引き寄せられ、セル１０の内側面の一方側、及び他方側に集まる（図中、網点で図示する部分）。液面の高さと第１の磁石１０４Ａの高さとが一致しているので、第１の磁石１０４Ａの磁力を、セル１０内の液体の高さ方向全体に及ぼすことができ、第５の免疫複合体が担持された磁性担体粒子、及び競合物質のみが担持された磁性担体粒子をセル１０の内面に効率的に集めることができる。
【０２８７】
また、セル１０内には洗浄液が吐出されているので（即ち、洗浄液で反応液が薄められている）、洗浄液が吐出されていない場合に比較して検体中の特定の成分（一例として、フィブリン）の影響が少なくなり、第５の免疫複合体が担持された磁性担体粒子、及び競合物質のみが担持された磁性担体粒子が懸濁液中を移動し易く、第５の免疫複合体が担持された磁性担体粒子、及び競合物質のみが担持された磁性担体粒子を短時間で効率的に集めることができる。よって、第５の免疫複合体が担持された磁性担体粒子、及び競合物質のみが担持された磁性担体粒子の回収効率を高めることができる。
【０２８８】
次に、ターンテーブル８４が矢印ＣＷ方向に回転され、図７Ｂに示すように、セル１０は、高さ１０ｍｍの第２の磁石１０４Ｂと対向する位置に配置される。これにより、第５の免疫複合体が担持された磁性担体粒子、及び競合物質のみが担持された磁性担体粒子は、第２の磁石１０４Ｂに引き寄せられ、セル１０の内面の片側に集められる。なお、ここでは、第１の磁石１０４Ａよりも低い第２の磁石１０４Ｂに引き寄せられるため、セル１０の内面の片側に集められた、第５の免疫複合体が担持された磁性担体粒子、及び競合物質のみが担持された磁性担体粒子の高さは、第１の磁石１０４Ａで集められていた際の高さよりも低くなる、即ち、第５の免疫複合体が担持された磁性担体粒子、及び競合物質のみが担持された磁性担体粒子の高さが１２ｍｍから１０ｍｍとなる。
【０２８９】
次に、図７Ｃに示すように、Ｂ／Ｆノズル４４Ａによって、セル１０内の液が吸引され、第５の免疫複合体が担持された磁性担体粒子、及び競合物質のみが担持された磁性担体粒子以外のものが除去され、第５の免疫複合体が担持された磁性担体粒子、及び競合物質のみが担持された磁性担体粒子がセル１０内面に残される。以上のようにして、磁性担体粒子と結合した物質（Ｂｉｎｄ）と、結合しなかった物質（Ｆｒｅｅ）が分離（Ｂ／Ｆ分離）される。その後、図７Ｄに示すように、Ｂ／Ｆノズル４４Ａによって洗浄液がセル内に１２ｍｍの高さまで吐出される。
【０２９０】
次に、ターンテーブル８４が矢印ＣＷ方向に回転され、図７Ｅに示すように、セル１０は、高さ８ｍｍの第３の磁石１０４Ｃと対向する位置に配置される。これにより、第５の免疫複合体が担持された磁性担体粒子、及び競合物質のみが担持された磁性担体粒子は、第２の磁石１０４Ｂとは反対側に配置された第３の磁石１０４Ｃに引き寄せられ、セル１０の内面の片側に集められる。なお、ここでは、第５の免疫複合体が担持された磁性担体粒子、及び競合物質のみが担持された磁性担体粒子は、第２の磁石１０４Ｂよりも低い第３の磁石１０４Ｃに引き寄せられるため、セル１０の内面の片側に集められた、第５の免疫複合体が担持された磁性担体粒子、及び競合物質のみが担持された磁性担体粒子の高さは、第２の磁石１０４Ｂで集められていた際の磁性担体粒子の高さよりも低くなる、即ち、第５の免疫複合体が担持された磁性担体粒子、及び競合物質のみが担持された磁性担体粒子の高さが１０ｍｍから８ｍｍとなる。
【０２９１】
次に、図７Ｆに示すように、Ｂ／Ｆノズル４４Ａによって、セル１０内の液が吸引されてＢ／Ｆ分離が行われ、第５の免疫複合体が担持された磁性担体粒子、及び競合物質のみが担持された磁性担体粒子がセル１０内面に残される。その後、図７Ｇに示すように、Ｂ／Ｆノズル４４Ａによって洗浄液がセル１０内に１２ｍｍの高さまで吐出される。
【０２９２】
次に、ターンテーブル８４が矢印ＣＷ方向に回転され、図７Ｈに示すように、セル１０は、高さ７ｍｍの第４の磁石１０４Ｄと対向する位置に配置される。これにより、第５の免疫複合体が担持された磁性担体粒子、及び競合物質のみが担持された磁性担体粒子は、第３の磁石１０４Ｃとは反対側に配置された第４の磁石１０４Ｄに引き寄せられ、セル１０の内面の片側に集められる。なお、ここでは、第５の免疫複合体が担持された磁性担体粒子、及び競合物質のみが担持された磁性担体粒子は、第３の磁石１０４Ｃよりも低い第４の磁石１０４Ｄに引き寄せられるため、セル１０の内面の片側に集められた、第５の免疫複合体が担持された磁性担体粒子、及び競合物質のみが担持された磁性担体粒子の高さは、第３の磁石１０４Ｃで集められていた際の高さよりも低くなる、即ち、セル１０の内面に集められた、第５の免疫複合体が担持された磁性担体粒子、及び競合物質のみが担持された磁性担体粒子の高さが８ｍｍから７ｍｍとなる。
【０２９３】
次に、図７Ｉに示すように、Ｂ／Ｆノズル４４Ａによって、セル１０内の液が吸引されてＢ／Ｆ分離が行われ、第５の免疫複合体が担持された磁性担体粒子、及び競合物質のみが担持された磁性担体粒子がセル１０内面に残される。その後、図７Ｊに示すように、Ｂ／Ｆノズル４４Ａによって洗浄液がセル１０内に１２ｍｍの高さまで吐出される。
【０２９４】
次に、ターンテーブル８４が矢印ＣＷ方向に回転され、図７Ｋに示すように、セル１０は、高さ６ｍｍの第５の磁石１０４Ｅと対向する位置に配置される。これにより、第５の免疫複合体が担持された磁性担体粒子、及び競合物質のみが担持された磁性担体粒子は、第４の磁石１０４Ｄとは反対側に配置された第５の磁石１０４Ｅに引き寄せられ、セル１０の内面の片側に集められる。なお、ここでは、第５の免疫複合体が担持された磁性担体粒子、及び競合物質のみが担持された磁性担体粒子は、第４の磁石１０４Ｄよりも低い第５の磁石１０４Ｅに引き寄せられるため、セル１０の内面の片側に集められた、第５の免疫複合体が担持された磁性担体粒子、及び競合物質のみが担持された磁性担体粒子の高さは、第４の磁石１０４Ｄで集められていた際の高さよりも低くなる、即ち、セル１０の内面に集められた、第５の免疫複合体が担持された磁性担体粒子、及び競合物質のみが担持された磁性担体粒子の高さが７ｍｍから６ｍｍとなる。
【０２９５】
次に、図７Ｌに示すように、Ｂ／Ｆノズル４４Ａによって、セル１０内の液が吸引されてＢ／Ｆ分離が行われ、第５の免疫複合体が担持された磁性担体粒子、及び競合物質のみが担持された磁性担体粒子がセル１０内面に残される。その後、図７Ｍに示すように、Ｂ／Ｆノズル４４Ａによって洗浄液がセル１０内に１２ｍｍの高さまで吐出される。
【０２９６】
次に、ターンテーブル８４が矢印ＣＷ方向に回転され、図７Ｎに示すように、セル１０は、高さ５ｍｍの第６の磁石１０４Ｆと対向する位置に配置される。これにより、第５の免疫複合体が担持された磁性担体粒子、及び競合物質のみが担持された磁性担体粒子は、第５の磁石１０４Ｅとは反対側に配置された第６の磁石１０４Ｆに引き寄せられ、セル１０の内面の片側に集められる。なお、ここでは、第５の免疫複合体が担持された磁性担体粒子、及び競合物質のみが担持された磁性担体粒子は、第５の磁石１０４Ｅよりも低い第６の磁石１０４Ｆに引き寄せられるため、セル１０の内面の片側に集められた、第５の免疫複合体が担持された磁性担体粒子、及び競合物質のみが担持された磁性担体粒子の高さは、第５の磁石１０４Ｅで集められていた際の高さよりも低くなる、即ち、セル１０の内面に集められた、第５の免疫複合体が担持された磁性担体粒子、及び競合物質のみが担持された磁性担体粒子の高さが６ｍｍから５ｍｍとなる。
【０２９７】
次に、図７Ｏに示すように、Ｂ／Ｆノズル４４Ａによって、セル１０内の液が吸引されてＢ／Ｆ分離が行われ、第５の免疫複合体が担持された磁性担体粒子がセル１０内面に残される（第５の免疫複合体が担持された磁性担体粒子、及び競合物質のみが担持された磁性担体粒子の高さは５ｍｍ）。
【０２９８】
第１Ｂ／Ｆユニット２２ＡでＢ／Ｆ分離が行われたセル１０は、セルハンド７４に掴まれ検出ユニット２４の攪拌部４６へ搬送される。このとき、セルハンド７４に設けられたチューブ（不図示）から検出試薬（発光基質試薬）がセル１０へ吐出される。攪拌部４６では、第５の免疫複合体が担持された磁性担体粒子と、競合物質のみが担持された磁性担体粒子と、検出試薬が攪拌され、磁性担体粒子に担持されている第５の免疫複合体中のアルカリホスファターゼが発光基質試薬と反応して発光する。
【０２９９】
本実施形態では、検出試薬が吐出されるセル１０は、集められた磁性担体粒子の高さ、すなわち、集められた、第５の免疫複合体が担持された磁性担体粒子と、競合物質のみが担持された磁性担体粒子からなる磁性担体粒子の高さが５ｍｍとなるため、第５の免疫複合体が担持された磁性担体粒子と、競合物質のみが担持された磁性担体粒子を検出試薬中に分散させるには、撹拌時の検出試薬の液面の上端の高さが５ｍｍとなれば良く、セル１０に吐出する検出試薬の液面の高さは５ｍｍ未満で良く、検出試薬の量を削減することができると共に、より少ない量の検出試薬の添加により、磁性担体粒子を効率的、かつ確実に分散させることができる。
【０３００】
その後、セル１０は測定室４８内へ搬送され、センサ（不図示）により、磁性担持体が担持している第５の免疫複合体中のアルカリホスファターゼと発光基質試薬との反応により生成した光の光量が測定され、この測定された発光量から、検体中の測定対象成分の濃度が決定される（なお、競合物質のみが担持された磁性担体粒子は光らない。）。なお、競合法２も、前述した競合法１と同様に、検体中の測定対象成分が多くなると、発光量が小さくなる。
【０３０１】
以上説明した様に、本実施形態の免疫測定方法では、第５の免疫複合体が担持された磁性担体粒子と、競合物質のみが担持された磁性担体粒子の懸濁された液が入れられたセル１０の側面に、液面の高さと同じ高さの第１の磁石１０４Ａを配置し、液の上下方向の全ての部分に渡って第１の磁石１０４Ａの磁力を作用させるので、液中の第５の免疫複合体が担持された磁性担体粒子と、競合物質のみが担持された磁性担体粒子に対して大きな磁力を作用させて集磁することができ、免疫複合体が担持された磁性担体粒子の回収効率を高めることができる。
また、検出試薬を吐出した後の液面の高さを、攪拌時に、セル１０内面に集められた第５の免疫複合体が担持された磁性担体粒子と、競合物質のみが担持された磁性担体粒子全体に検出試薬を接触させることができる高さに設定するので、該第５の免疫複合体が担持された磁性担体粒子と、競合物質のみが担持された磁性担体粒子をセル１０の内面に残存させることなく、検出試薬中に全て分散させることができ、検体中の測定対象成分の測定を正確に行うことが可能となる。
【０３０２】
なお、Ｂ／Ｆ分離をする際（即ち、磁性担体粒子の洗浄）には、セル１０に洗浄液を添加してセル１０の側面から磁石（１０４Ａ〜Ｆ）を離脱させるか、セル１０の側面から磁石を離脱させてセル１０に洗浄液を添加するか、またはセル１０に洗浄液を添加しながらセル１０の側面から磁石を離脱させれば良く、何れかを行えば良い。
【０３０３】
本実施形態の第１Ｂ／Ｆユニット２２Ａにおいても、第１の実施形態と同様に、第１の磁石１０４Ａ〜第６の磁石１０４Ｆの高さが隣接する同士で全て異なり、かつ第１の磁石１０４Ａから第６の磁石１０４Ｆへ向けて段々に低くなっていたが、最後の第６の磁石１０４Ｆの高さが一番低くなっていれば良く、複数の磁石の中で、互いに隣接する磁石同士で同じ高さとなっている部分があっても良い。
【０３０４】
［その他の実施形態］
以上、本発明の実施形態について記述したが、本発明は上記の実施形態に何ら限定されるものではなく、本発明の要旨を逸脱しない範囲において種々なる態様で実施し得ることは言うまでもない。
【０３０５】
上記実施形態では、第１の磁石１０４Ａが一対設けられていたが、第１の磁石１０４Ａは１個でも良い。
【０３０６】
上記実施形態では、第２の磁石１０４Ｂ〜第６の磁石１０４Ｆが、環状溝９８を挟んで径方向内側と外側とに環状溝９８の周方向に沿って交互に配置されていたが、検体中の測定対象成分を正確に測定できる限りでは、第２の磁石１０４Ｂ〜第６の磁石１０４Ｆの配置は特に制限されず、第２の磁石１０４Ｂ〜第６の磁石１０４Ｆを環状溝９８の径方向内側のみ、または径方向外側のみに配置しても良い。
【０３０７】
環状溝９８に沿って配置する磁石の数は上記実施形態のものに限らず、上記実施形態よりも多くても、少なくても良い。
【０３０８】
上記実施形態では、第１の磁石１０４Ａ〜第６の磁石１０４Ｆの各々の高さが異なっていたが、第１の磁石１０４Ａから第６の磁石１０４Ｆに向けて高さが低くなれば良く、隣接する同士で同じ高さの磁石があっても良い。
【０３０９】
上記実施形態では、第１の磁石１０４Ａ〜第６の磁石１０４Ｆ、磁石１０６Ｒ、磁石１０６Ｌが永久磁石であったが、電磁石であっても良い。
【０３１０】
上記実施形態では、第１の磁石１０４Ａ〜第６の磁石１０４Ｆが固定され、ターンテーブル８４を回転させてセル１０を移動していたが、セル１０を固定し、第１の磁石１０４Ａ〜第６の磁石１０４Ｆを移動させても良い（この場合、ターンテーブル８４を固定し、ベース板７８の方を回転させることになる。）。この場合でも、セル１０内面に集める第１の免疫複合体が担持された磁性担体粒子の高さを低くすることができる。
【０３１１】
上記実施形態では、免疫測定装置２００を、サンドイッチ法、及び競合法に基づく免疫測定法に用いたが、本発明はこれに限らず、他の免疫測定法（例えば、抗体の代わりにアプタマー等を用いる方法）に用いることもできる。
【０３１２】
２０１４年９月１９日に出願された日本国特許出願２０１４−１９１６９８号の開示は、その全体が参照により本明細書に取り込まれる。
本明細書に記載されたすべての文献、特許出願、及び技術規格は、個々の文献、特許出願、及び技術規格が参照により取り込まれることが具体的かつ個々に記された場合と同程度に、本明細書中に参照により取り込まれる。
【符号の説明】
【０３１３】
１０      セル（反応容器）
２２Ａ    第１Ｂ／Ｆユニット（洗浄装置）
４４Ａ    Ｂ／Ｆノズル
８４      ターンテーブル
８８      孔（装填部）
９２      モータ（駆動装置）
１０４Ａ  第１の磁石（第１番目の磁石）
１０４Ｂ〜１０４Ｆ    第２の磁石〜第６の磁石
１０４Ｆ  第ｎ番目の磁石
２００    免疫測定装置
【図１】
0006610550.tif 000004
【図２Ａ】
0006610550.tif 000005
【図２Ｂ】
0006610550.tif 000006
【図２Ｃ】
0006610550.tif 000007
【図３】
0006610550.tif 000008
【図４】
0006610550.tif 000009
【図５】
0006610550.tif 000010
【図６Ａ】
0006610550.tif 000011
【図６Ｂ】
0006610550.tif 000012
【図７Ａ】
0006610550.tif 000013
【図７Ｂ】
0006610550.tif 000014
【図７Ｃ】
0006610550.tif 000015
【図７Ｄ】
0006610550.tif 000016
【図７Ｅ】
0006610550.tif 000017
【図７Ｆ】
0006610550.tif 000018
【図７Ｇ】
0006610550.tif 000019
【図７Ｈ】
0006610550.tif 000020
【図７Ｉ】
0006610550.tif 000021
【図７Ｊ】
0006610550.tif 000022
【図７Ｋ】
0006610550.tif 000023
【図７Ｌ】
0006610550.tif 000024
【図７Ｍ】
0006610550.tif 000025
【図７Ｎ】
0006610550.tif 000026
【図７Ｏ】
0006610550.tif 000027
【図８Ａ】
0006610550.tif 000028
【図８Ｂ】
0006610550.tif 000029
【図８Ｃ】
0006610550.tif 000030
【図９Ａ】
0006610550.tif 000031
【図９Ｂ】
0006610550.tif 000032
【図９Ｃ】
0006610550.tif 000033
【図９Ｄ】
0006610550.tif 000034
【図９Ｅ】
0006610550.tif 000035
【図９Ｆ】
0006610550.tif 000036
【図９Ｇ】
0006610550.tif 000037